(57)【要約】本発明は、コンクリートのような充填材によって作られる硬化構造体を形成するシステムに関する。特に、本発明は、硬化体を作るために使用される形成構造を設置するための方法と装置を含む。本発明は、高層建築物を作るための形成構造の空中運搬にとくに適する。モジュール式充填材形成連結組立品を設置するためのシステムが開示される。該システムは、空中運搬デバイスの能力、型枠の事前組立、型枠のすばやい支持、および、囲い型枠の順次設置によって、充填材工法における能率の改善を促進する。
2008506869.tif 000002
【特許請求の範囲】
【請求項１】
モジュール式充填材形成連結組立品を設置する方法であって、該方法は、
少なくとも２つの充填材型枠を設置するステップであって、該充填材型枠は、実質的に向かい合い平行な姿勢で配列される少なくとも第１の型枠パネルおよび少なくとも第２の型枠パネル、該少なくとも第１の型枠パネルと該少なくとも第２の型枠パネルとの間に形成されるスペース、および、該第１の型枠パネルおよび該第２の型枠パネルに結合される少なくとも１つのコネクションエレメントを有する、該充填材型枠を設置するステップと、
該モジュール式充填材形成連結組立品を作るために該少なくとも２つの充填材型枠を連結するステップと、
外側囲い型枠パネル、少なくとも１つの囲い補強部材、および、内側囲い型枠パネルを設置するステップと、
該モジュール式充填材形成連結組立品、該外側囲い型枠パネル、該少なくとも１つの囲い補強部材、および、内側囲い型枠パネルの地上用地を設けるステップと、
該モジュール式充填材形成連結組立品、該外側囲い型枠パネル、該少なくとも１つの囲い補強部材、および、内側囲い型枠パネルに少なくとも１つのリフト固定エレメントを設けるステップと、
少なくとも１つのリフト取付エレメントを有する空中運搬デバイスを設けるステップと、
該空中運搬デバイスの該少なくとも１つのリフト取付エレメントを、該モジュール式充填材形成連結組立品の該少なくとも１つのリフト固定エレメントに連結するステップと、
該空中運搬デバイスの該少なくとも１つのリフト取付エレメントが、該モジュール式充填材形成連結組立品の該少なくとも１つのリフト固定エレメントに連結されている間に、該モジュール式充填材形成連結組立品を設置場所に設置するステップと、
該空中運搬デバイスの該少なくとも１つのリフト取付エレメントを、該モジュール式充填材形成連結組立品の該少なくとも１つのリフト固定エレメントから取り外すステップと、
該モジュール式充填材形成連結組立品に、連続的に位置換え可能なところに、ブレース付属エレメントを付けるステップと、
該ブレース付属エレメントにブレースを連結するステップと、
該モジュール式コンクリート形成構造を該ブレースを用いて支えるステップと、
該空中運搬デバイスの該少なくとも１つのリフト取付エレメントを、該外側囲い型枠パネルの該少なくとも１つのリフト固定エレメントに連結するステップと、
該モジュール式充填材形成連結組立品を設置する該ステップの後に、該空中運搬デバイスの該少なくとも１つのリフト取付エレメントが、該外側囲い型枠パネルの該少なくとも１つのリフト固定エレメントに連結されている間に、該囲い場所の外側囲い境界に、該外側囲い型枠パネルを位置決めするステップと、
該空中運搬デバイスの該少なくとも１つのリフト取付エレメントを、該外側囲い型枠パネルの該少なくとも１つのリフト固定エレメントから取り外すステップと、
該空中運搬デバイスの該少なくとも１つのリフト取付エレメントを、該囲い補強部材の
該少なくとも１つのリフト固定エレメントに連結するステップと、
該外側囲い型枠パネルを位置決めする該ステップの後に、該空中運搬デバイスの該少なくとも１つのリフト取付エレメントが、該外側囲い型枠パネルの該少なくとも１つのリフト固定エレメントに連結されている間に、該囲い場所の囲いスペースの内部に、該囲い補強部材を設置するステップと、
該空中運搬デバイスの該少なくとも１つのリフト取付エレメントを、該囲い補強部材の該少なくとも１つのリフト固定エレメントから取り外すステップと、
該空中運搬デバイスの該少なくとも１つのリフト取付エレメントを、該内側囲い型枠パネルの該少なくとも１つのリフト固定エレメントに連結するステップと、
該囲い補強部材を設置する該ステップの後に、該空中運搬デバイスの該少なくとも１つのリフト取付エレメントが、該内側囲い型枠パネルの該少なくとも１つのリフト固定エレメントに連結されている間に、該囲い場所の内側囲い境界に、該内側囲い補強パネルを位置決めするステップと、
該空中運搬デバイスの該少なくとも１つのリフト取付エレメントを、該内側囲い型枠パネルの該少なくとも１つのリフト固定エレメントから取り外すステップと
を包含する、方法。
【請求項２】
少なくとも１つの前記充填材型枠の前記スペースの内部に、少なくとも１つの補強部材を設置するステップをさらに包含する、請求項１に記載のモジュール式充填材形成連結組立品を設置する方法。
【請求項３】
前記補強部材は、補強鉄筋を備える、請求項２に記載のモジュール式充填材形成連結組立品を設置する方法。
【請求項４】
前記補強部材を設置する前記ステップは、前記コネクションエレメントに前記補強部材を結合するステップを包含する、請求項２に記載のモジュール式充填材形成連結組立品を設置する方法。
【請求項５】
前記補強部材を設置する前記ステップは、前記モジュール式充填材形成連結組立品を設置する前記ステップの前に生じる、請求項２に記載のモジュール式充填材形成連結組立品を設置する方法。
【請求項６】
前記コネクションエレメントは、リジッドタイを備える、請求項１に記載のモジュール式充填材形成連結組立品を設置する方法。
【請求項７】
前記コネクションエレメントは、フレキシブルタイを備える、請求項１に記載のモジュール式充填材形成連結組立品を設置する方法。
【請求項８】
前記フレキシブルタイは、少なくとも１つの前記充填材型枠が崩されることを許すように適合させられるフレキシブルタイを備える、請求項７に記載のモジュール式充填材形成連結組立品を設置する方法。
【請求項９】
前記リフト固定エレメントは、フック、とめ金、リング、摩擦表面、溶接、タイ、ストラップ、メカニカルファスナ、または、コネクタから成るグループのうちから選択されるリフト固定エレメントを備える、請求項１に記載のモジュール式充填材形成連結組立品を設置する方法。
【請求項１０】
前記リフト固定エレメントは、少なくとも１つの前記スペースの内部に設置される補強部材を備える、請求項１に記載のモジュール式充填材形成連結組立品を設置する方法。
【請求項１１】
前記空中運搬デバイスは、クレーン、エレベータ、リフト、滑車システム、飛行機、または、リフティングシステムからなるグループのうちから選択される空中運搬デバイスを備える、請求項１に記載のモジュール式充填材形成連結組立品を設置する方法。
【請求項１２】
前記リフト取付エレメントは、フック、とめ金、リング、つかみ、摩擦表面、溶接、タイ、ストラップ、メカニカルファスナ、または、コネクタからなるグループのうちから選択されるリフト取付エレメントを備える、請求項１に記載のモジュール式充填材形成連結組立品を設置する方法。
【請求項１３】
前記モジュール化充填材形成連結組立品を運搬する前記ステップの間の該モジュール化充填材形成連結組立品の構造的一体性を強化するために、一体性確保システム設けるステップをさらに包含する、請求項１に記載のモジュール式充填材形成連結組立品を設置する方法。
【請求項１４】
少なくとも１つの露出レールを前記モジュール化充填材形成連結組立品に結合することをさらに包含する、請求項１に記載のモジュール式充填材形成連結組立品を設置する方法。
【請求項１５】
前記露出レールに前記ブレース付属エレメントをスライド係合することをさらに備える、請求項１４に記載のモジュール式充填材形成連結組立品を設置する方法。
【請求項１６】
前記ブレース付属エレメントをすばやく配備することをさらに備える、請求項１に記載のモジュール式充填材形成連結組立品を設置する方法。
【請求項１７】
前記ブレース付属エレメントをすばやく配備する前記ステップは、約９０秒、約２分、約３分、約５分、または、約１０分から成るグループのうちから選択される期間内に配備するステップを包含する、請求項１６に記載のモジュール式充填材形成連結組立品を設置する方法。
【請求項１８】
前記外側囲い型枠パネルを前記充填材型枠の外側型枠パネルに連結することをさらに包含する、請求項１に記載のモジュール式充填材形成連結組立品を設置する方法。
【請求項１９】
前記内側囲い型枠パネルを前記充填材型枠の内側型枠パネルに連結することをさらに包含する、請求項１に記載のモジュール式充填材形成連結組立品を設置する方法。
【請求項２０】
前記充填材型枠の前記スペース内の前記補強部材に、前記囲い補強部材を結合することをさらに包含する、請求項２に記載のモジュール式充填材形成連結組立品を設置する方法。
【請求項２１】
前記外側囲い型枠パネルは、前記内側囲い型枠パネルによって実質的に支えられる、請求項１に記載のモジュール式充填材形成連結組立品を設置する方法。
【請求項２２】
前記モジュール式充填材形成連結組立品を設置する前記ステップの後に、少なくとも１つの前記スペースの中に充填材を流し込むステップをさらに包含する、請求項２１に記載のモジュール式充填材形成連結組立品を設置する方法。
【請求項２３】
モジュール式充填材形成連結組立品の設置システムであって、該システムは、
第１の型枠パネルと、
第２の型枠パネルと、
少なくとも該第１の型枠パネルおよび少なくとも該第２の型枠パネルに連結される少なくとも１つのコネクションエレメントを有する充填材型枠と、
該第１の型枠パネルと該第２の型枠パネルとの間の該充填材型枠内のスペースと、
少なくとも第２の充填材型枠に連結される少なくとも第１の充填材型枠を有するモジュール式充填材形成連結組立品と、
該モジュール式充填材形成連結組立品に設けられる少なくとも１つのリフト固定エレメントと、
該モジュール式充填材形成連結組立品に結合された状態で、連続的に位置換え可能なところに付けられるブレース付属エレメンントと、
該ブレース付属エレメンントに付けられるブレースと、
該モジュール式充填材形成連結組立品に連結される外側囲い型枠パネルと、
該モジュール式充填材形成連結組立品に連結される内側囲い型枠パネルと、
該外側囲い型枠パネルと該内側囲い型枠パネルとの間に形成される囲いスペース内に設置される少なくとも１つの囲い補強部材と
を備える、システム。
【請求項２４】
少なくとも１つのリフト取付エレメントを有する空中運搬デバイスをさらに備える、請求項２３に記載のモジュール式充填材形成連結組立品の設置システム。
【請求項２５】
前記空中運搬デバイスは、クレーン、エレベータ、リフト、滑車、飛行機、または、リフティングシステムからなるグループのうちから選択される空中運搬デバイスを備える、請求項２４に記載のモジュール式充填材形成連結組立品の設置システム。
【請求項２６】
前記リフト取付エレメントは、フック、とめ金、リング、つかみ、摩擦表面、溶接、タイ、ストラップ、メカニカルファスナ、または、コネクタから成るグループのうちから選択されるリフト取付エレメントを備える、請求項２４に記載のモジュール式充填材形成連結組立品の設置システム。
【請求項２７】
前記コネクションエレメントは、リジッドタイを備える、請求項２３に記載のモジュール式充填材形成連結組立品の設置システム。
【請求項２８】
前記コネクションエレメントは、フレキシブルタイを備える、請求項２３に記載のモジュール式充填材形成連結組立品の設置システム。
【請求項２９】
前記フレキシブルタイは、少なくとも１つの前記充填材型枠が崩されることを許すように適合させられるフレキシブルタイを備える、請求項２７に記載のモジュール式充填材形成連結組立品の設置システム。
【請求項３０】
前記リフト固定エレメントは、フック、とめ金、リング、摩擦表面、溶接、タイ、ストラップ、メカニカルファスナ、または、コネクタから成るグループのうちから選択されるリフト固定エレメントを備える、請求項２３に記載のモジュール式充填材形成連結組立品の設置システム。
【請求項３１】
前記リフト固定エレメントは、少なくとも１つの前記スペース内に設置される補強部材を備える、請求項２３に記載のモジュール式充填材形成連結組立品の設置システム。
【請求項３２】
前記スペース内に設置される少なくとも１つの補強部材をさらに備える、請求項２３に記載のモジュール式充填材形成連結組立品の設置システム。
【請求項３３】
前記少なくとも１つの補強部材は、補強鉄筋を備える、請求項３２に記載のモジュール式充填材形成連結組立品の設置システム。
【請求項３４】
前記モジュール式充填材形成連結組立品に設けられる一体性確保システムをさらに備える、請求項２３に記載のモジュール式充填材形成連結組立品の設置システム。
【請求項３５】
前記モジュール式充填材形成連結組立品に結合される少なくとも１つの露出レールをさらに備える、請求項２３に記載のモジュール式充填材形成連結組立品の設置システム。
【請求項３６】
前記ブレース付属エレメンントは、前記露出レールに結合されるスライド係合ブレース付属エレメンントを備える、請求項３５に記載のモジュール式充填材形成連結組立品の設置システム。
【請求項３７】
前記ブレース付属エレメンントは、すばやい配備のために適合させられる、請求項２３に記載のモジュール式充填材形成連結組立品の設置システム。
【請求項３８】
前記すばやい配備は、約９０秒、約２分、約３分、約５分、または、約１０分から成るグループのうちから選択される期間を備える、請求項３７に記載のモジュール式充填材形成連結組立品の設置システム。
【請求項３９】
前記充填材型枠の少なくとも前記スペースの中に流し込まれる充填材をさらに備える、請求項２３に記載のモジュール式充填材形成連結組立品の設置システム。
【請求項４０】
モジュール式充填材形成連結組立品を設置する方法であって、
少なくとも２つの充填材型枠を設置する方法であって、該充填材型枠は、実質的に向かい合い平行な姿勢で配列される少なくとも第１の型枠パネルおよび少なくとも第２の型枠パネル、該第１の型枠パネルと該第２の型枠パネルとの間に形成されるスペース、および、該第１の型枠パネルおよび該第２の型枠パネルに結合される少なくとも１つのコネクションエレメントを有する、該充填材型枠を設置するステップと、
該モジュール式充填材形成連結組立品を作るために該少なくとも２つの充填材型枠を連結するステップと、
該モジュール式充填材形成連結組立品の地上用地を設けるステップと、
該モジュール式充填材形成連結組立品の地上姿勢を定めるステップと、
該モジュール式充填材形成連結組立品の中心を計算するステップと、
該モジュール式充填材形成連結組立品に、少なくとも１つのリフト固定エレメントを設けるステップと、
該モジュール式充填材形成連結組立品の該中心についてのリフト軸に関連付けて該少なくとも１つのリフト固定エレメントの位置決めをするステップと、
少なくとも１つのリフト取付エレメントを有する空中運搬デバイスを設けるステップと、
該モジュール式充填材形成連結組立品の該少なくとも１つのリフト固定エレメントに、該空中運搬デバイスの該少なくとも１つのリフト取付エレメントを連結するステップと、
該空中運搬デバイスを使用して、該中心についての該リフト軸に沿う空中姿勢で、該モジュール式充填材形成連結組立品をリフティングするステップと、
該空中運搬デバイスを使用して、該地上用地から設置場所に該空中姿勢で、該モジュール式充填材形成連結組立品を運搬するステップと、
該空中運搬デバイスの該少なくとも１つのリフト取付エレメントが、該モジュール式充填材形成連結組立品の該少なくとも１つのリフト固定エレメントに連結されている間に、該モジュール式充填材形成連結組立品の該設置姿勢に実質的に一致する該モジュール式充填材形成連結組立品の空中姿勢を定めるステップと、
該空中運搬デバイスの該少なくとも１つのリフト取付エレメントが、該モジュール式充填材形成連結組立品の該少なくとも１つのリフト固定エレメントに連結されている間に、該設置場所における該設置姿勢に方向付けられた該モジュール式充填材形成連結組立品を設置するステップと、
該モジュール式充填材形成連結組立品の該少なくとも１つのリフト固定エレメントから、該空中運搬デバイスの該少なくとも１つのリフト取付エレメントを取り外すステップと
を包含する、方法。
【請求項４１】
少なくとも１つの前記充填材型枠の前記スペース内に少なくとも１つの補強部材を設置するステップをさらに包含する、請求項４０に記載のモジュール式充填材形成連結組立品を設置する方法。
【請求項４２】
前記補強部材は、補強鉄筋を備える、請求項４１に記載のモジュール式充填材形成連結組立品を設置する方法。
【請求項４３】
前記少なくとも１つの補強部材を設置する前記ステップは、離れた場所で生じる、請求項４１に記載のモジュール式充填材形成連結組立品を設置する方法。
【請求項４４】
前記少なくとも１つの補強部材を設置する前記ステップは、前記地上用地で生じる、請求項４１に記載のモジュール式充填材形成連結組立品を設置する方法。
【請求項４５】
前記少なくとも１つの補強部材を設置する前記ステップは、前記設置場所で生じる、請求項４１に記載のモジュール式充填材形成連結組立品を設置する方法。
【請求項４６】
前記少なくとも１つの補強部材を設置する前記ステップは、少なくとも１つの前記充填材型枠の前記スペースの中に、該補強部材を水平に挿入するステップを包含する、請求項４１に記載のモジュール式充填材形成連結組立品を設置する方法。
【請求項４７】
前記少なくとも１つの補強部材を設置する前記ステップは、少なくとも１つの前記充填材型枠の前記スペースの中に、該補強部材を鉛直に挿入するステップを包含する、請求項４１に記載のモジュール式充填材形成連結組立品を設置する方法。
【請求項４８】
前記少なくとも１つの補強部材を設置する前記ステップは、少なくとも１つの前記充填材型枠の前記スペースの中に、水平姿勢で前記少なくとも１つの補強部材を設置するステップを包含する、請求項４１に記載のモジュール式充填材形成連結組立品を設置する方法。
【請求項４９】
前記少なくとも１つの補強部材を設置する前記ステップは、少なくとも１つの前記充填材型枠の前記スペースの中に、鉛直姿勢で前記少なくとも１つの補強部材を設置するステップを包含する、請求項４１に記載のモジュール式充填材形成連結組立品を設置する方法。
【請求項５０】
前記少なくとも１つの補強部材を設置する前記ステップは、少なくとも１つの前記コネクションエレメントに、前記補強部材を結合するステップを包含する、請求項４１に記載のモジュール式充填材形成連結組立品を設置する方法。
【請求項５１】
少なくとも１つの前記コネクションエレメントに前記補強部材を結合する前記ステップは、該コネクションエレメントに該補強部材を縛り付けるステップを包含する、請求項５０に記載のモジュール式充填材形成連結組立品を設置する方法。
【請求項５２】
前記補強部材を設置する前記ステップは、前記モジュール式充填材形成連結組立品をリフティングする前記ステップの前に生じる、請求項４１に記載のモジュール式充填材形成連結組立品を設置する方法。
【請求項５３】
前記補強部材は、補強鉄筋を備える、請求項５２に記載のモジュール式充填材形成連結組立品を設置する方法。
【請求項５４】
前記少なくとも１つの補強部材を設置する前記ステップは、少なくとも１つの前記充填材型枠の前記スペースの中に、該補強部材を水平に挿入するステップを包含する、請求項５２に記載のモジュール式充填材形成連結組立品を設置する方法。
【請求項５５】
前記少なくとも１つの補強部材を設置する前記ステップは、少なくとも１つの前記充填材型枠の前記スペースの中に、該補強部材を鉛直に挿入するステップを包含する、請求項５２に記載のモジュール式充填材形成連結組立品を設置する方法。
【請求項５６】
前記少なくとも１つの補強部材を設置する前記ステップは、少なくとも１つの前記充填材型枠の前記スペースの中に、水平姿勢で前記少なくとも１つの補強部材を設置するステップを包含する、請求項５２に記載のモジュール式充填材形成連結組立品を設置する方法。
【請求項５７】
前記少なくとも１つの補強部材を設置する前記ステップは、少なくとも１つの前記充填材型枠の前記スペースの中に、鉛直姿勢で前記少なくとも１つの補強部材を設置するステップを包含する、請求項５２に記載のモジュール式充填材形成連結組立品を設置する方法。
【請求項５８】
前記少なくとも１つの補強部材を設置する前記ステップは、少なくとも１つの前記コネクションエレメントに、前記補強部材を結合するステップを包含する、請求項５２に記載のモジュール式充填材形成連結組立品を設置する方法。
【請求項５９】
少なくとも１つの前記コネクションエレメントに前記補強部材を結合するステップは、該コネクションエレメントに該補強部材を縛り付けるステップを包含する、請求項５８に記載のモジュール式充填材形成連結組立品を設置する方法。
【請求項６０】
少なくとも１つの前記型枠パネルは、絶縁型枠パネルを備える、請求項４０に記載のモジュール式充填材形成連結組立品を設置する方法。
【請求項６１】
少なくとも１つの前記型枠パネルは、木材、繊維、ポリマ、発泡ポリスチレン、押出ポリスチレン、スチール、合金、エポキシ、またはプラスチック複合材から成るグループのうちから選択される材料で作られる型枠パネルを備える、請求項４０に記載のモジュール式充填材形成連結組立品を設置する方法。
【請求項６２】
前記コネクションエレメントは、リジッドタイを備える、請求項４０に記載のモジュール式充填材形成連結組立品を設置する方法。
【請求項６３】
前記リジッドタイは、少なくとも１つの補強部材に結合されるように適合させられるリジッドタイを備える、請求項６２に記載のモジュール式充填材形成連結組立品を設置する方法。
【請求項６４】
前記リジッドタイは、少なくとも１つの補強部材を保持するように適合させられる少なくとも１つのクレードルを有するリジッドタイをさらに備える、請求項６２に記載のモジュール式充填材形成連結組立品を設置する方法。
【請求項６５】
前記リジッドタイは、前記第１の型枠パネルと前記第２の型枠パネルとの間隔を維持する、請求項６２に記載のモジュール式充填材形成連結組立品を設置する方法。
【請求項６６】
前記コネクションエレメントは、フレキシブルタイを備える、請求項４０に記載のモジュール式充填材形成連結組立品を設置する方法。
【請求項６７】
前記フレキシブルタイは、少なくとも１つの前記充填材型枠が崩されることを許すように適合させられるフレキシブルタイを備える、請求項６６に記載のモジュール式充填材形成連結組立品を設置する方法。
【請求項６８】
前記充填材型枠を崩すステップをさらに包含する、請求項６７に記載のモジュール式充填材形成連結組立品を設置する方法。
【請求項６９】
前記崩すステップは、前記第１の型枠パネルと前記第２の型枠パネルとの間に形成された前記スペースを実質的に無くすステップを包含する、請求項６８に記載のモジュール式充填材形成連結組立品を設置する方法。
【請求項７０】
前記フレキシブルタイは、折りたたみタイ、ピボットタイ、弾性タイ、ワイヤタイ、単繊維タイ、摩擦表面タイ、またはフレキシブルメッシュタイからなるグループのうちから選択されるフレキシブルタイを備える、請求項６６に記載のモジュール式充填材形成連結組立品を設置する方法。
【請求項７１】
前記フレキシブルタイは、少なくとも１つの補強部材に結合されるように適合させられるフレキシブルタイを備える、請求項６６に記載のモジュール式充填材形成連結組立品を設置する方法。
【請求項７２】
少なくとも１つの補強部材に結合されるように適合させられる前記フレキシブルタイは、該フレキシブルタイに張力を生じさせるように展張されるフレキシブルタイを備える、請求項７１に記載のモジュール式充填材形成連結組立品を設置する方法。
【請求項７３】
前記フレキシブルタイは、前記第１の型枠パネルと前記第２の型枠パネルとの間隔を維持する、請求項６６に記載のモジュール式充填材形成連結組立品を設置する方法。
【請求項７４】
前記結合するステップは、離れた場所で生じる、請求項４０に記載のモジュール式充填材形成連結組立品を設置する方法。
【請求項７５】
前記離れた場所は、工場サイトを備える、請求項７４に記載のモジュール式充填材形成連結組立品を設置する方法。
【請求項７６】
前記モジュール式充填材形成連結組立品を前記地上用地に運搬するステップをさらに包含する、請求項７４に記載のモジュール式充填材形成連結組立品を設置する方法。
【請求項７７】
前記第１の充填材型枠は第１のエッジおよび第２のエッジを有し、前記第２の充填材型枠は第３のエッジおよび第４のエッジを有し、前記結合するステップは、第１のレールを該第１のエッジおよび該第３のエッジに結合することおよび第２のレールを該第２のエッジおよび該第４のエッジに結合することを包含する、請求項４０に記載のモジュール式充填材形成連結組立品を設置する方法。
【請求項７８】
前記第１の充填材型枠は第１のエッジおよび第２のエッジを有し、前記第２の充填材型枠は第３のエッジおよび第４のエッジを有し、前記結合するステップは、第１のクリップを該第１のエッジおよび該第３のエッジに結合することおよび第２のクリップを該第２のエッジおよび該第４のエッジに結合することを包含する、請求項４０に記載のモジュール式充填材形成連結組立品を設置する方法。
【請求項７９】
各前記充填材型枠の各前記スペースの連絡によって規定される前記モジュール式充填材形成連結組立品の中のに空洞を形成するステップをさらに包含する、請求項４０に記載のモジュール式充填材形成連結組立品を設置する方法。
【請求項８０】
前記地上用地は、建築サイトを備える、請求項４０に記載のモジュール式充填材形成連結組立品を設置する方法。
【請求項８１】
前記中心は、質量中心である、請求項４０に記載のモジュール式充填材形成連結組立品を設置する方法。
【請求項８２】
前記中心は、図心である、請求項４０に記載のモジュール式充填材形成連結組立品を設置する方法。
【請求項８３】
前記リフト固定エレメントは、フック、とめ金、リング、摩擦表面、溶接、タイ、ストラップ、メカニカルファスナ、または、コネクタから成るグループのうちから選択されるリフト固定エレメントを備える、請求項４０に記載のモジュール式充填材形成連結組立品を設置する方法。
【請求項８４】
前記リフト固定エレメントは、少なくとも１つの前記スペース内に設置される補強部材を備える、請求項４０に記載のモジュール式充填材形成連結組立品を設置する方法。
【請求項８５】
前記補強部材は、前記リフト取付エレメントへの連結のために適合させられる補強部材を備える、請求項８４に記載のモジュール式充填材形成連結組立品を設置する方法。
【請求項８６】
前記補強部材は、水平の補強部材を備える、請求項８４に記載のモジュール式充填材形成連結組立品を設置する方法。
【請求項８７】
前記補強部材は、鉛直の補強部材を備える、請求項８４に記載のモジュール式充填材形成連結組立品を設置する方法。
【請求項８８】
前記位置決めするステップは、前記少なくとも１つのリフト固定エレメントを、前記中心についての前期リフト軸に関して対称に配置することを包含する、請求項４０に記載のモジュール式充填材形成連結組立品を設置する方法。
【請求項８９】
前記空中運搬デバイスは、クレーン、エレベータ、リフト、滑車システム、飛行機、または、リフティングシステムからなるグループのうちから選択される空中運搬デバイスを備える、請求項４０に記載のモジュール式充填材形成連結組立品を設置する方法。
【請求項９０】
前記リフト取付エレメントは、フック、とめ金、リング、つかみ、摩擦表面、溶接、タイ、ストラップ、メカニカルファスナ、または、コネクタからなるグループのうちから選択されるリフト取付エレメントを備える、請求項４０に記載のモジュール式充填材形成連結組立品を設置する方法。
【請求項９１】
前記リフト取付エレメントは、補強部材への連結のために適合させられる、請求項４０に記載のモジュール式充填材形成連結組立品を設置する方法。
【請求項９２】
前記設置場所は、充填材を流し込むサイトを備える、請求項４０に記載のモジュール式充填材形成連結組立品を設置する方法。
【請求項９３】
前記充填材を流し込むサイトは、高層の充填材を流し込むサイトを備える、請求項９２に記載のモジュール式充填材形成連結組立品を設置する方法。
【請求項９４】
前記モジュール化充填材形成連結組立品を運搬するステップの間の該モジュール化充填材形成連結組立品の構造的一体性を強化するために、一体性確保システムを設けるステップをさらに包含する、請求項４０に記載のモジュール式充填材形成連結組立品を設置する方法。
【請求項９５】
前記一体性確保システムは、前記モジュール式充填材形成連結組立品に設けられる少なくとも１つの強化要素を備える、請求項９４に記載のモジュール式充填材形成連結組立品を設置する方法。
【請求項９６】
前記強化要素は、前記モジュール式充填材形成連結組立品に前記リフト固定エレメントを結合する高強度ファスナを備える、請求項９５に記載のモジュール式充填材形成連結組立品を設置する方法。
【請求項９７】
モジュール式充填材形成連結組立品の設置システムであって、該システムは、
第１の型枠パネルと、
第２の型枠パネルと、
少なくとも該第１の型枠パネルおよび少なくとも該第２の型枠パネルに連結される少なくとも１つのコネクションエレメントを有する充填材型枠と、
該第１の型枠パネルと該第２の型枠パネルとの間の該充填材型枠内のスペースと、
少なくとも第２の充填材型枠に連結される少なくとも第１の充填材型枠を有するモジュール式充填材形成連結組立品と、
該モジュール式充填材形成連結組立品の中心と、
該モジュール式充填材形成連結組立品の該中心についてのリフト軸と、
該モジュール式充填材形成連結組立品の該中心についての該リフト軸に関連して位置決めされるように適合させられると該モジュール式充填材形成連結組立品に設けられる少なくとも１つのリフト固定エレメントと
を備える、システム。
【請求項９８】
少なくと１つのリフト取付エレメントを有する空中運搬デバイスをさらに備える、請求項９７に記載のモジュール式充填材形成連結組立品の設置システム。
【請求項９９】
前記空中運搬デバイスは、クレーン、エレベータ、リフト、滑車、飛行機、または、リフティングシステムからなるグループのうちから選択される空中運搬デバイスを備える、請求項９８に記載のモジュール式充填材形成連結組立品の設置システム。
【請求項１００】
前記リフト取付エレメントは、フック、とめ金、リング、つかみ、摩擦表面、溶接、タイ、ストラップ、メカニカルファスナ、または、コネクタからなるグループのうちから選択されるリフト取付エレメントを備える、請求項９８に記載のモジュール式充填材形成連結組立品の設置システム。
【請求項１０１】
前記リフト取付エレメントは、前記充填材型枠内の前記スペース内に設置される補強部材に連結するように適合させられる、請求項９８に記載のモジュール式充填材形成連結組立品の設置システム。
【請求項１０２】
少なくとも１つの前記型枠パネルは、絶縁型枠パネルを備える、請求項９７に記載のモジュール式充填材形成連結組立品の設置システム。
【請求項１０３】
少なくとも１つの前記型枠パネルは、木材、繊維、ポリマ、発泡ポリスチレン、押出ポリスチレン、スチール、合金、またはプラスチック複合材から成るグループのうちから選択される材料で作られる型枠パネルを備える、請求項９７に記載のモジュール式充填材形成連結組立品の設置システム。
【請求項１０４】
前記コネクションエレメントは、リジッドタイを備える、請求項９７に記載のモジュール式充填材形成連結組立品の設置システム。
【請求項１０５】
前記リジッドタイは、少なくとも１つの補強部材に結合されるように適合させられるリジッドタイを備える、請求項１０４に記載のモジュール式充填材形成連結組立品の設置システム。
【請求項１０６】
前記リジッドタイは、少なくとも１つの補強部材を保持するように適合させられる少なくとも１つのクレードルを有するリジッドタイをさらに備える、請求項１０４に記載のモジュール式充填材形成連結組立品の設置システム。
【請求項１０７】
前記リジッドタイは、リジッドな間隔維持要素を備える、請求項１０４に記載のモジュール式充填材形成連結組立品の設置システム。
【請求項１０８】
前記コネクションエレメントは、フレキシブルタイを備える、請求項９７に記載のモジュール式充填材形成連結組立品の設置システム。
【請求項１０９】
前記フレキシブルタイは、少なくとも１つの前記充填材型枠が崩されることを許すように適合させられるフレキシブルタイを備える、請求項１０８に記載のモジュール式充填材形成連結組立品の設置システム。
【請求項１１０】
前記崩された充填材型枠は、前記第１の型枠パネルと前記第２の型枠パネルとの間に実質的にスペースが無い充填材型枠を備える、請求項１０９に記載のモジュール式充填材形成連結組立品の設置システム。
【請求項１１１】
前記フレキシブルタイは、折りたたみタイ、ピボットタイ、弾性タイ、ワイヤタイ、単繊維タイ、摩擦表面タイ、またはフレキシブルメッシュタイからなるグループのうちから選択されるフレキシブルタイを備える、請求項１０８に記載のモジュール式充填材形成連結組立品の設置システム。
【請求項１１２】
前記フレキシブルタイは、少なくとも１つの補強部材に結合されるように適合させられるフレキシブルタイを備える、請求項１０８に記載のモジュール式充填材形成連結組立品の設置システム。
【請求項１１３】
少なくとも１つの補強部材に結合されるように適合させられる前記フレキシブルタイは、展張状態のフレキシブルタイを備える、請求項１０８に記載のモジュール式充填材形成連結組立品の設置システム。
【請求項１１４】
前記ルレキシブルタイは、フレキシブルな間隔維持要素を備える、請求項１０８に記載のモジュール式充填材形成連結組立品の設置システム。
【請求項１１５】
前記モジュール式充填材形成連結組立品が結合される離れた場所をさらに備える、請求項９７に記載のモジュール式充填材形成連結組立品の設置システム。
【請求項１１６】
前記離れた場所は、工場サイトを備える、請求項１１５に記載のモジュール式充填材形成連結組立品の設置システム。
【請求項１１７】
前記第１の充填材型枠は第１のエッジおよび第２のエッジを有し、前記第２の充填材型枠は第３のエッジおよび第４のエッジを有する、請求項９７に記載のモジュール式充填材形成連結組立品の設置システム。
【請求項１１８】
前記第１のエッジおよび前記第３のエッジに結合される第１のレールおよび前記第２のエッジおよび前記第４のエッジに結合される第２のレールをさらに備える、請求項１１７に記載のモジュール式充填材形成連結組立品の設置システム。
【請求項１１９】
前記第１のエッジおよび前記第３のエッジに結合される第１のクリップおよび前記第２のエッジおよび前記第４のエッジに結合される第２のクリップをさらに備える、請求項１１７に記載のモジュール式充填材形成連結組立品の設置システム。
【請求項１２０】
前記モジュール式充填材形成連結組立品は、各前記充填材型枠の各前記スペースの連絡によって規定される空洞をさらに備える、請求項９７に記載のモジュール式充填材形成連結組立品の設置システム。
【請求項１２１】
前記中心は、質量中心を備える、請求項９７に記載のモジュール式充填材形成連結組立品の設置システム。
【請求項１２２】
前記中心は、図心を備える、請求項９７に記載のモジュール式充填材形成連結組立品の設置システム。
【請求項１２３】
前記リフト固定エレメントは、フック、とめ金、リング、摩擦表面、溶接、タイ、ストラップ、メカニカルファスナ、または、コネクタから成るグループのうちから選択されるリフト固定エレメントを備える、請求項９７に記載のモジュール式充填材形成連結組立品の設置システム。
【請求項１２４】
前記リフト固定エレメントは、少なくとも１つの前記スペース内に設置される補強部材を備える、請求項９７に記載のモジュール式充填材形成連結組立品の設置システム。
【請求項１２５】
前記補強部材は、付属エレメントとの連結のために適合させられる補強部材を備える、請求項１２４に記載のモジュール式充填材形成連結組立品の設置システム。
【請求項１２６】
前記補強部材は、水平の補強部材を備える、請求項１２４に記載のモジュール式充填材形成連結組立品の設置システム。
【請求項１２７】
前記補強部材は、鉛直の補強部材を備える、請求項１２４に記載のモジュール式充填材形成連結組立品の設置システム。
【請求項１２８】
前記リフト固定エレメントは、リフト軸を中心として対称なリフト固定エレメントを備える、請求項９７に記載のモジュール式充填材形成連結組立品の設置システム。
【請求項１２９】
少なくとも１つの前記スペース内に設置される少なくとも１つの補強部材をさらに備える、請求項９７に記載のモジュール式充填材形成連結組立品の設置システム。
【請求項１３０】
前記少なくとも１つの補強部材は、補強鉄筋を備える、請求項１２９に記載のモジュール式充填材形成連結組立品の設置システム。
【請求項１３１】
前記少なくとも１つの補強部材は、水平姿勢で設置される、請求項１２９に記載のモジュール式充填材形成連結組立品の設置システム。
【請求項１３２】
前記少なくとも１つの補強部材は、鉛直姿勢で設置される、請求項１２９に記載のモジュール式充填材形成連結組立品の設置システム。
【請求項１３３】
前記少なくとも１つの補強部材は、少なくとも１つの前記コネクションエレメントに結合される、請求項１２９に記載のモジュール式充填材形成連結組立品の設置システム。
【請求項１３４】
前記少なくとも１つの補強部材は、少なくとも１つの前記コネクションエレメントに縛り付けられる、請求項１３３に記載のモジュール式充填材形成連結組立品の設置システム。
【請求項１３５】
前記モジュール式充填材形成連結組立品に設けられる一体性確保システムをさらに備える、請求項９７に記載のモジュール式充填材形成連結組立品の設置システム。
【請求項１３６】
前記一体性確保システムは、前記モジュール式充填材形成連結組立品に設けられる少なくとも１つの強化要素を備える、請求項１３５に記載のモジュール式充填材形成連結組立品の設置システム。
【請求項１３７】
前記強化要素は、前記モジュール式充填材形成連結組立品に前記リフト固定エレメントを結合する高強度ファスナを備える、請求項１３６に記載のモジュール式充填材形成連結組立品の設置システム。
【請求項１３８】
連続的に位置換え可能なところに、前記モジュール式充填材形成連結組立品に結合されるブレース付属エレメントを付けるステップをさらに包含する、請求項４０に記載のモジュール式充填材形成連結組立品を設置する方法。
【請求項１３９】
前記モジュール式充填材形成連結組立品に、前記ブレース付属エレメントを永久的に結合することをさらに包含する、請求項１３８に記載のモジュール式充填材形成連結組立品を設置する方法。
【請求項１４０】
前記モジュール式充填材形成連結組立品に、前記ブレース付属エレメントを一時的に結合することをさらに包含する、請求項１３８に記載のモジュール式充填材形成連結組立品を設置する方法。
【請求項１４１】
前記モジュール式充填材形成連結組立品に、少なくとも１つの露出レールを結合することをさらに包含する、請求項１３８に記載のモジュール式充填材形成連結組立品を設置する方法。
【請求項１４２】
前記露出レールに対して前記ブレース付属エレメントをスライド係合することをさらに包含する、請求項１４１に記載のモジュール式充填材形成連結組立品を設置する方法。
【請求項１４３】
前記ブレース付属エレメントを、前記露出レールにスクリューねじを用いて固定することをさらに包含する、請求項１４２に記載のモジュール式充填材形成連結組立品を設置する方法。
【請求項１４４】
前記ブレース付属エレメントに、ブレースを結合することをさらに包含する、請求項１３８に記載のモジュール式充填材形成連結組立品を設置する方法。
【請求項１４５】
前記ブレースは、キッカーを備える、請求項１４４に記載のモジュール式充填材形成連結組立品を設置する方法。
【請求項１４６】
前記モジュール式充填材形成連結組立品を、前記ブレースを用いて支えることをさらに包含する、請求項１４４に記載のモジュール式充填材形成連結組立品を設置する方法。
【請求項１４７】
前記ブレースをアンカー場所にアンカーするステップ、および、前記ブレース付属エレメントを所望の場所に連続的に位置換えするステップをさらに包含する、請求項１４４に記載のモジュール式充填材形成連結組立品を設置する方法。
【請求項１４８】
前記所望の場所は、前記モジュール式充填材形成連結組立品の垂直姿勢に対応する前記ブレース付属エレメントの場所を備える、請求項１４７に記載のモジュール式充填材形成連結組立品を設置する方法。
【請求項１４９】
前記ブレース付属エレメントをすばやく配備することをさらに包含する、請求項１３８に記載のモジュール式充填材形成連結組立品を設置する方法。
【請求項１５０】
前記ブレース付属エレメントをすばやく配備する前記ステップは、約９０秒、約２分、約３分、約５分、または、約１０分から成るグループのうちから選択される期間内に配備するステップを包含する、請求項１４９に記載のモジュール式充填材形成連結組立品を設置する方法。
【請求項１５１】
前記ブレース付属エレメントをすばやく配備する前記ステップは、前記ブレース付属エレメントを連続的に位置換え可能なところに、スクリューねじを用いて付けるステップをさらに包含する、請求項１４９に記載のモジュール式充填材形成連結組立品を設置する方法。
【請求項１５２】
前記モジュール式充填材形成連結組立品に結合され、連続的に位置換え可能なところに付けられるブレース付属エレメンントをさらに備える、請求項９７に記載のモジュール式充填材形成連結組立品の設置システム。
【請求項１５３】
前記ブレース付属エレメントは、前記モジュール式充填材形成連結組立品に永久的に結合される、請求項１５２に記載のモジュール式充填材形成連結組立品の設置システム。
【請求項１５４】
前記ブレース付属エレメントは、前記モジュール式充填材形成連結組立品に一時的に結合される、請求項１５２に記載のモジュール式充填材形成連結組立品の設置システム。
【請求項１５５】
前記モジュール化充填材形成連結組立品に結合される少なくとも１つの露出レールをさらに備える、請求項１５２に記載のモジュール式充填材形成連結組立品の設置システム。
【請求項１５６】
前記露出レールに結合されるスライド係合ブレース付属エレメントをさらに備える、請求項１５５に記載のモジュール式充填材形成連結組立品の設置システム。
【請求項１５７】
前記ブレース付属エレメントは、前記露出レールにスクリューねじをによって結合される、請求項１５６に記載のモジュール式充填材形成連結組立品の設置システム。
【請求項１５８】
前記ブレース付属エレメントに取り付けられたブレースをさらに備える、請求項１５２に記載のモジュール式充填材形成連結組立品の設置システム。
【請求項１５９】
前記ブレースは、キッカーを備える、請求項１５８に記載のモジュール式充填材形成連結組立品の設置システム。
【請求項１６０】
前記ブレースは、前記モジュール式充填材形成連結組立品を支える、請求項１５８に記載のモジュール式充填材形成連結組立品の設置システム。
【請求項１６１】
前記ブレースがアンカーされるアンカー場所をさらに備える、請求項１５８に記載のモジュール式充填材形成連結組立品の設置システム。
【請求項１６２】
前記モジュール式充填材形成連結組立品の垂直姿勢に対応する前記ブレース付属エレメントの場所をさらに備える、請求項１５８に記載のモジュール式充填材形成連結組立品の設置システム。
【請求項１６３】
前記ブレース付属エレメンントは、すばやい配備のために適合させられる、請求項１５２に記載のモジュール式充填材形成連結組立品の設置システム。
【請求項１６４】
前記すばやい配備は、約９０秒、約２分、約３分、約５分、または、約１０分から成るグループのうちから選択される期間を備える、請求項１６３に記載のモジュール式充填材形成連結組立品の設置システム。
【請求項１６５】
前記すばやい配備は、連続的に位置換え可能な場所に、スクリューねじを用いて付けられる前記ブレース付属エレメンントを含む、請求項１６３に記載のモジュール式充填材形成連結組立品の設置システム。
【請求項１６６】
請求項４０に記載のモジュール式充填材形成連結組立品を設置する方法であって、
外側囲い境界、囲いスペース、および内側囲い境界を有する囲い場所を設けるステップと、
外側囲い型枠パネルを該囲い場所に運搬するステップと、
少なくとも１つの囲い補強部材を該囲い場所に運搬するステップと、
内側囲い型枠パネルを該囲い場所に運搬するステップと、
該外側囲い境界に実質的に一致するように該外側囲い型枠パネルを方向付けするステップと、
実質的に該外側囲い境界に該外側囲い型枠パネルを位置決めするステップと、
該囲いスペース内にフィットするように該少なくとも１つの囲い補強部材を方向付けするステップと、
該外側囲い型枠パネルを位置決めする該ステップの後に、該囲いスペース内に該少なくとも１つの囲い補強部材を設置するステップと、
該内側囲い境界に実質的に一致するように該内側囲い型枠パネルを方向付けするステップと、
該少なくとも１つの囲い補強部材を設置する該ステップの後に、実質的に該内側囲い境界に該内側囲い型枠パネルを位置決めするステップと、
該外側囲い型枠パネルおよび該内側囲い型枠パネルに、少なくとも１つの囲いコネクションエレメントを結合するステップと
をさらに包含する、方法。
【請求項１６７】
前記外側囲い型枠パネルに少なくとも１つのリフト固定エレメントを設けるステップをさらに包含する、請求項１６６に記載のモジュール式充填材形成連結組立品を設置する方法。
【請求項１６８】
前記外側囲い型枠パネルを前記運搬するステップは、前記空中運搬デバイスの前記少なくとも１つのリフト取付エレメントを、該外側囲い型枠パネルの前記少なくとも１つのリフト固定エレメントに連結するステップを包含する、請求項１６７に記載のモジュール式充填材形成連結組立品を設置する方法。
【請求項１６９】
前記外側囲い型枠パネルを位置決めするステップは、前記空中運搬デバイスの前記リフト取付エレメントが、該外側囲い型枠パネルの前記少なくとも１つのリフト固定エレメントに連結されている間に、該外側囲い型枠パネルを位置決めするステップを包含する、請求項１６７に記載のモジュール式充填材形成連結組立品を設置する方法。
【請求項１７０】
前記囲い補強部材に少なくとも１つのリフト固定エレメントを設けるステップをさらに包含する、請求項１６６に記載のモジュール式充填材形成連結組立品を設置する方法。
【請求項１７１】
前記囲い補強部材を運搬する前記ステップは、前記空中運搬デバイスの前記少なくとも１つのリフト取付エレメントを、該囲い補強部材の前記少なくとも１つのリフト固定エレメントに連結するステップを包含する、請求項１７０に記載のモジュール式充填材形成連結組立品を設置する方法。
【請求項１７２】
前記囲い補強部材を前記位置決めするステップは、前記空中運搬デバイスの前記リフト取付エレメントが、該囲い補強部材の前記少なくとも１つのリフト固定エレメントに連結されている間に、該囲い補強部材を位置決めするステップを包含する、請求項１７０に記載のモジュール式充填材形成連結組立品を設置する方法。
【請求項１７３】
前記内側囲い型枠パネルに少なくとも１つのリフト固定エレメントを設けるステップをさらに包含する、請求項１６６に記載のモジュール式充填材形成連結組立品を設置する方法。
【請求項１７４】
前記内側囲い型枠パネルを運搬する前記ステップは、前記空中運搬デバイスの前記リフト取付エレメントを、該内側囲い型枠パネルの前記少なくとも１つのリフト固定エレメントに連結するステップを包含する、請求項１７３に記載のモジュール式充填材形成連結組立品を設置する方法。
【請求項１７５】
前記内側囲い型枠パネルを位置決めする前記ステップは、前記空中運搬デバイスの前記リフト取付エレメントが、該内側囲い型枠パネルの前記少なくとも１つのリフト固定エレメントに連結されている間に、該内側囲い型枠パネルを位置決めするステップを包含する、請求項１７３に記載のモジュール式充填材形成連結組立品を設置する方法。
【請求項１７６】
囲い場所を設ける前記ステップ、外側囲い型枠パネルを運搬する前記ステップ、少なくとも１つの囲い補強部材を運搬する前記ステップ、内側囲い型枠パネルを運搬する前記ステップ、該外側囲い型枠パネルを方向付ける前記ステップ、該外側囲い型枠パネルを位置決めする前記ステップ、前記少なくとも１つの囲い補強部材を方向付けする前記ステップ、該少なくとも１つの囲い補強部材を位置決めする前記ステップ、該内側囲い型枠パネルを方向付ける前記ステップ、該内側囲い型枠パネルを位置決めする前記ステップ、および、少なくとも１つの囲いコネクションエレメントを該外側囲い型枠パネルに結合する前記ステップは、前記モジュール式充填材形成連結組立品を設置する前記ステップの後に生じる、請求項１６６に記載のモジュール式充填材形成連結組立品を設置する方法。
【請求項１７７】
前記囲い場所は、コーナーの開放を備える、請求項１６６に記載のモジュール式充填材形成連結組立品を設置する方法。
【請求項１７８】
前記コーナーの開放は、約１フィート、約２フィート、約５フィート、または、約１５フィートからなるグループのうちから選択される幅を有するコーナーの開放を備える、請求項１７７に記載のモジュール式充填材形成連結組立品を設置する方法。
【請求項１７９】
少なくとも１つの充填材型枠を前記コーナーの開放に隣り合わせて設置することをさらに包含する、請求項１７７に記載のモジュール式充填材形成連結組立品を設置する方法。
【請求項１８０】
前記外側囲い型枠パネルを前記充填材型枠の外側囲い型枠パネルに結合することをさらに包含する、請求項１７９に記載のモジュール式充填材形成連結組立品を設置する方法。
【請求項１８１】
前記内側囲い型枠パネルを前記充填材型枠の内側囲い型枠パネルに結合することをさらに包含する、請求項１７９に記載のモジュール式充填材形成連結組立品を設置する方法。
【請求項１８２】
前記充填材型枠の前記スペース内に少なくとも１つの補強部材を設置することをさらに包含する、請求項１７９に記載のモジュール式充填材形成連結組立品を設置する方法。
【請求項１８３】
前記充填材型枠の前記スペース内に設置された前記補強部材に前記囲い補強部材を結合することをさらに包含する、請求項１８２に記載のモジュール式充填材形成連結組立品を設置する方法。
【請求項１８４】
前記囲い補強部材を結合する前記ステップは、前記充填材型枠の前記スペース内に設置された前記補強部材に該囲い補強部材を縛り付けることを包含する、請求項１８３に記載のモジュール式充填材形成連結組立品を設置する方法。
【請求項１８５】
前記囲い場所は、同列上の開放を備える、請求項１６６に記載のモジュール式充填材形成連結組立品を設置する方法。
【請求項１８６】
前記同列上の開放は、約１フィート、約２フィート、約５フィート、または、約１５フィートからなるグループのうちから選択される幅を有する同列上の開放を備える、請求項１８５に記載のモジュール式充填材形成連結組立品を設置する方法。
【請求項１８７】
少なくとも１つの充填材型枠を前記同列上の開放に隣り合わせて設置することをさらに包含する、請求項１８５に記載のモジュール式充填材形成連結組立品を設置する方法。
【請求項１８８】
前記外側囲い型枠パネルを前記充填材型枠の外側囲い型枠パネルに結合することをさらに包含する、請求項１８７に記載のモジュール式充填材形成連結組立品を設置する方法。
【請求項１８９】
前記内側囲い型枠パネルを前記充填材型枠の内側囲い型枠パネルに結合することをさらに包含する、請求項１８７に記載のモジュール式充填材形成連結組立品を設置する方法。
【請求項１９０】
前記充填材型枠の前記スペース内に少なくとも１つの補強部材を設置することをさらに包含する、請求項１８７に記載のモジュール式充填材形成連結組立品を設置する方法。
【請求項１９１】
前記充填材型枠の前記スペース内に設置された前記補強部材に前記囲い補強部材を結合することをさらに包含する、請求項１９０に記載のモジュール式充填材形成連結組立品を設置する方法。
【請求項１９２】
前記囲い補強部材を結合する前記ステップは、前記充填材型枠の前記スペース内に設置された補強部材に該囲い補強部材を縛り付けることを包含する、請求項１９１に記載のモジュール式充填材形成連結組立品を設置する方法。
【請求項１９３】
前記囲い場所は、充填材を流し込むサイトを備える、請求項１６６に記載のモジュール式充填材形成連結組立品を設置する方法。
【請求項１９４】
前記充填材を流し込むサイトは、高層の充填材を流し込むサイトを備える、請求項１９３に記載のモジュール式充填材形成連結組立品を設置する方法。
【請求項１９５】
前記囲い補強部材は、補強鉄筋を備える、請求項１６６に記載のモジュール式充填材形成連結組立品を設置する方法。
【請求項１９６】
少なくとも１つの囲い補強部材を設置する前記ステップは、水平姿勢で少なくとも１つの囲い補強部材を設置するステップを包含する、請求項１６６に記載のモジュール式充填材形成連結組立品を設置する方法。
【請求項１９７】
少なくとも１つの囲い補強部材を設置する前記ステップは、鉛直姿勢で少なくとも１つの囲い補強部材を設置するステップを包含する、請求項１６６に記載のモジュール式充填材形成連結組立品を設置する方法。
【請求項１９８】
前記外側囲い型枠パネルを位置決めするステップは、内側方向から該外側囲い型枠パネルを位置決めするステップを包含する、請求項１６６に記載のモジュール式充填材形成連結組立品を設置する方法。
【請求項１９９】
前記外側囲い型枠パネルは、前記内側囲い型枠パネルによって実質的に支えられる、請求項１６６に記載のモジュール式充填材形成連結組立品を設置する方法。
【請求項２００】
請求項９７に記載のモジュール式充填材形成連結組立品の設置システムであって、該システムは、
外側囲い境界、囲いスペース、および内側囲い境界を有する囲い場所と、
該外側囲い境界に実質的に一致するように方向付けられる外側囲い型枠パネルと、
実質的に該外側囲い境界に位置決めされる該外側囲い型枠パネルと、
該囲いスペース内にフィットするように方向付けられる少なくとも１つの囲い補強部材と、
該囲いスペース内に設置される該少なくとも１つの囲い補強部材と、
該内側囲い境界に実質的に一致するように方向付けられる内側囲い型枠パネルと、
実質的に該内側囲い境界に位置決めされる該内側囲い型枠パネルと、
該外側囲い型枠パネルおよび該内側囲い型枠パネルに結合される少なくとも１つの囲いコネクションエレメントと
を備え、
該外側囲い型枠パネルは、該内側囲い型枠パネルによって実質的に支えられる、システム。
【請求項２０１】
前記囲い場所は、コーナーの開放を備える、請求項２００に記載のモジュール式充填材形成連結組立品の設置システム。
【請求項２０２】
前記コーナー開放は、約１フィート、約２フィート、約５フィート、または、約１５フィートからなるグループのうちから選択される幅を有するコーナーの開放を備える、請求項２０１に記載のモジュール式充填材形成連結組立品の設置システム。
【請求項２０３】
前記コーナー開放に隣り合わせて設置される少なくとも１つの充填材型枠をさらに備える、請求項２０１に記載のモジュール式充填材形成連結組立品の設置システム。
【請求項２０４】
前記充填材型枠の外側型枠パネルに結合される前記外側囲い型枠パネルをさらに備える、請求項２０３に記載のモジュール式充填材形成連結組立品の設置システム。
【請求項２０５】
前記充填材型枠の内側型枠パネルに結合される前記内側囲い型枠パネルをさらに備える、請求項２０３に記載のモジュール式充填材形成連結組立品の設置システム。
【請求項２０６】
前記充填材型枠の前記スペース内に設置される少なくとも１つの補強部材をさらに備える、請求項２０３に記載のモジュール式充填材形成連結組立品の設置システム。
【請求項２０７】
前記充填材型枠の前記スペース内に設置される前記補強部材に結合される前記囲い補強部材をさらに備える、請求項２０６に記載のモジュール式充填材形成連結組立品の設置システム。
【請求項２０８】
前記充填材型枠の前記スペース内に設置される前記補強部材に縛り付けられる前記囲い補強部材をさらに備える、請求項２０７
に記載のモジュール式充填材形成連結組立品の設置システム。
【請求項２０９】
前記囲い場所は、同列上の開放を備える、請求項２００に記載のモジュール式充填材形成連結組立品の設置システム。
【請求項２１０】
前記同列上開放は、約１フィート、約２フィート、約５フィート、および、約１５フィートからなるグループのうちから選択される幅を有する同列上の開放を備える、請求項２０９に記載のモジュール式充填材形成連結組立品の設置システム。
【請求項２１１】
前記同列上の開放に隣り合わせて設置される少なくとも１つの充填材型枠をさらに備える、請求項２０９に記載のモジュール式充填材形成連結組立品の設置システム。
【請求項２１２】
前記充填材型枠の外側型枠パネルに結合される前記外側囲い型枠パネルをさらに備える、請求項２１１に記載のモジュール式充填材形成連結組立品の設置システム。
【請求項２１３】
前記充填材型枠の内側型枠パネルに結合される前記内側囲い型枠パネルをさらに備える、請求項２１１に記載のモジュール式充填材形成連結組立品の設置システム。
【請求項２１４】
前記充填材型枠の前記スペース内に設置される少なくとも１つの補強部材をさらに備える、請求項２１１に記載のモジュール式充填材形成連結組立品の設置システム。
【請求項２１５】
前記充填材型枠の前記スペース内に設置される前記補強部材に結合される前記囲い補強部材をさらに備える、請求項２１４に記載のモジュール式充填材形成連結組立品の設置システム。
【請求項２１６】
前記充填材型枠の前記スペース内に設置される前記補強部材に縛り付けられる前記囲い補強部材をさらに備える、請求項２１５に記載のモジュール式充填材形成連結組立品の設置システム。
【請求項２１７】
前記囲い場所は、充填材を流し込むサイトを備える、請求項２００に記載のモジュール式充填材形成連結組立品の設置システム。
【請求項２１８】
前記充填材を流し込むサイトは、高層の充填材を流し込むサイトを備える、請求項２１７に記載のモジュール式充填材形成連結組立品の設置システム。
【請求項２１９】
前記囲い補強部材は、補強鉄筋を備える、請求項２００に記載のモジュール式充填材形成連結組立品の設置システム。
【請求項２２０】
前記囲い補強部材は、水平姿勢で設置される、請求項２００に記載のモジュール式充填材形成連結組立品の設置システム。
【請求項２２１】
前記囲い補強部材は、鉛直姿勢で設置される、請求項２００に記載のモジュール式充填材形成連結組立品の設置システム。
【請求項２２２】
前記モジュール式充填材形成連結組立品を設置する前記ステップの後に、少なくとも１つの前記スペースの中に充填材を流し込むステップをさらに包含する、請求項４０に記載のモジュール式充填材形成連結組立品を設置する方法。
【請求項２２３】
前記充填材は、コンクリートを備える、請求項２２２に記載のモジュール式充填材形成連結組立品を設置する方法。
【請求項２２４】
実質的に前記充填材からなる硬化体を作ることをさらに包含する、請求項２２２に記載のモジュール式充填材形成連結組立品を設置する方法。
【請求項２２５】
前記硬化体は、壁である、請求項２２４に記載のモジュール式充填材形成連結組立品を設置する方法。
【請求項２２６】
コンポーネントとして少なくとも１つの硬化体を有する建物を作ることをさらに包含する、請求項２２４に記載のモジュール式充填材形成連結組立品を設置する方法。
【請求項２２７】
前記硬化体から前記充填材形成構造を取り除くことをさらに包含する、請求項２２４に記載のモジュール式充填材形成連結組立品を設置する方法。
【請求項２２８】
前記充填材型枠の少なくとも前記スペース内に流し込まれる充填材をさらに備える、請求項９７に記載のモジュール式充填材形成連結組立品の設置システム。
【請求項２２９】
前記充填材は、コンクリートを備える、請求項２２８に記載のモジュール式充填材形成連結組立品の設置システム。
【請求項２３０】
実質的に前記充填材からなる硬化体をさらに備える、請求項２２８に記載のモジュール式充填材形成連結組立品の設置システム。
【請求項２３１】
前記硬化体は、前記モジュール式充填材形成連結組立品によって形成される壁である、請求項２３０に記載のモジュール式充填材形成連結組立品の設置システム。
【請求項２３２】
コンポーネントとして少なくとも１つの前記硬化体を有する建物をさらに備える、請求項２３０に記載のモジュール式充填材形成連結組立品の設置システム。
【発明の詳細な説明】
【技術分野】
【０００１】
（技術分野）
概して、本発明は、コンクリートのような充填材によって作られる硬化構造体を形成するシステムに関する。特に、本発明は、硬化体を作るために使用される形成構造を設置するための方法と装置を含む。本発明は、高層建築物を作るための型枠構造の空中運搬にとくに適する。
【背景技術】
【０００２】
（背景）
コンクリート建築物を作るための絶縁コンクリート型枠の使用は、建設業界において、ますます、建築にとってポピュラーな選択となりつつある。工法として絶縁コンクリート型枠を使用することは、一般的には、コンクリートが流し込まれ得る中空の内部を有するコンクリート型枠を設置することを含む。硬化するにつれて、コンクリートは、例えば壁のような建築物のコンポーネントとして使用され得る硬化体を提供する。絶縁コンクリート型枠の場合には、型枠自身は、絶縁材料から作られ得、または絶縁材料を付加され得る。コンクリートが硬化した後は、絶縁材料はそのまま残され、その結果として、コンクリートの建物特性と型枠の絶縁特性との両方をもつ硬化構造となる。
【０００３】
木造のような伝統的な工法と比較すると、絶縁コンクリート型枠は、多くの魅力的な利点を提供する。コンクリートからなる建築物は、一般的には、コンクリートを使用しない建築物よりも耐久性があり持続性がある。これは、ハリケーンまたは地震のような自然現象の多い地域においては重要な考慮すべき事項である。コンクリート建築物は、他のタイプの工法を用い作られた建築物よりも、メンテナンスのための時間およびコストを低減もし得る。絶縁コンクリート型枠の場合には、型枠の絶縁特性は、エネルギー効率が高まり、かつ建築物内部の騒音が低減されるなどの、さらなるメリットを付加する。さらに、この種の工法の評判は、技術の最先端で進歩が為されたときにだけ高まり得る。例えば、他の種類の充填材が探求されているときは、コンクリートは、もはや選り抜きの充填材ではあり得ず、他の絶縁方法が開発され得るときは、絶縁型枠はもはや必要とはされ得ない。
【０００４】
これらの利点にもかかわらず、充填材を用いる建築は、今もなお、大部分が克服されていない効率およびコスト効果に関する重大な問題を伴っている。従来からの充填材工法によってもたらされる１つの問題は、型枠を設置する方法に関する。多くの手法は、今なお手作業に頼り、個々に１つづつ型枠を設けている。これは、この労働集約的タスクの実行に要する大きな作業班および型枠の設置を完成するための長い期間を含む、重大な欠点を伴う。手作業の手法について、いくらかの改善が当分野で実現されて来た。例えば、型枠を設置するためのクレーンの使用が、特許文献１と共に、様々な業界誌および特許ウェブサイトにおいて記述されている。クレーンの使用は、必要な作業班のサイズを減らしかつ型枠が設けられ得る速度を増すが、先のアプリケーションのどれもが、クレーンが使用され得る潜在能力の全てを実現していないということは、いささか注目に値する。例えば、特許文献１は、事前に設置された外側周辺の壁体の内側に、室内の型枠を設置するためにクレーンを使用することに限定される。このタイプの手法は、特定の仕事での使用のために成形および構成された型枠を使用することに頼っており、かつ様々な構成に組み立て得る標準型枠を使用することのメリットを見過ごしている。しかしながら、標準型枠を使用する手法ですら、クレーン使用の全能力の真価を認めてはいない。例えば、一部の業界誌およびウェブサイトは、組み立てのサイトに型枠のパレットを運ぶためにクレーンを使用することを単に開示するだけである。これは、組み立てサイトに型枠を運ぶ効率を上げることによって、型枠の設置に関連する労務および時間のコストのいくらかを低減するが、その欠点の全てをもつ手作業が、組み立てサイトで型枠を設置するために依然として要求される。結局、クレーンが型枠を設置するために使用される手法ですら、これまでのところは、クレーンが使用され得る潜在能力を十分には理解していない。例えば、一部の特許ウェブサイトは、実際に、広告される特定のクレーンは、ギャング型枠を取り扱うのに理想的であるとの見出しでクレーンにつながれた型枠を説明している。しかしながら、クレーンにつながれた連結型枠に関しての開示はない。その後、この連結されていないと見られる型枠の山は、設置場所に移される。
【０００５】
従来の充填材工法によってもたらされる別の問題は、型枠の事前組立に関する。充填材を含む工法は、しばしば、最終の硬化体を強化するために、型枠の内部に金属の補強筋、または鉄筋を設置することを求める。鉄筋を設置する多くの手法は、架設場所において手作業を用いることを要求する。再び、これは、重大な欠点を伴い、おそらくは、それは、この労働集約的タスクを実行するために必要とされる大きな作業班、および鉄筋の設置を仕上げるための長い工期を含む。この手法は、型枠の中にあらかじめ鉄筋を設置し、すでに設置された鉄筋と共に架設場所において型枠を設置することの価値を理解し得てない。しかしながら、ある業界誌および特許ウェブサイトは、鉄筋を事前に設置することの価値を認めているが、これらの情報源が、これが達成される方法のメリットの全てを十分に理解しているとまでは言えない。例えば、ある特許ウェブサイトは、組み立てサイトにおいて、設置位置に取り付けられた鉄筋を有する型枠のパレットを、クレーンがリフトすることを説明する。再び、しかしながら、この方法は、それらが一旦組み立てサイトに到着すると、型枠を設置するために、その欠点の全てをもつ手作業を必要とする。
【０００６】
さらなる問題が、高層建物における型枠の設置に関係する。高層建物を建築するための建設手法は、しばしばクレーンを用い、そして、一部の業界誌および特許ウェブサイトは、そらくは地上から１階よりも高い所に型枠をリフトするためにクレーンを使用することを指摘する。しかしながら、これらの情報源は、高層建設の効率をクレーンがどの程度まで上げることができるかを、いささか、十分に理解できているとまでは言えない。結局、これらの手法は、高所での充填材工法におけるクレーンの有用性を十分には評価できていない。
【０００７】
さらに、別の問題は、設置された型枠の支持に関係する。一般的に、設置された型枠は、例えば、設置された型枠の断面に作用し得る風荷重に対して、それをその位置で保持するための支えを要求する。設置された型枠を支える１つの一般的な方法は、キッカーの使用を含む。しかしながら、型枠に対して適切に並べられ、かつ型枠が適切に垂直であるようにキッカーを設置することは、しばしば、時間集約的な手作業を伴う。この手順は、型枠にキッカーをしっかりと保持する必要性によって、さらに複雑となり得る。個々のキッカーについてこれを果たすために必要な時間は大きくはないであろうが、一般的な建設の仕事は、設置されるべき多くのキッカーを必要とする。これは、キッカーを設置するために求められるトータルの時間が、かなりの費用となる原因となり得る。キッカーを設置する既存の方法は、このタスクを果たす上で効率を促進し得ない。例えば、特許文献２は、キッカーが連結され得る型枠に取り付けられるべきトラックを要求する。さらに、特許文献２は、キッカーが、連続的に調節可能な態様で型枠に対して設置されることを許容しない。これらの手法は、型枠に直接キッカーを連結することの有効性を十分に理解できていない。
【０００８】
さらなる問題は、コーナー、および囲われることが必要であり得る他の場所に、型枠を設置する方法に関する。多くの手法は、コーナーのような特別な条件に適合しない。例えば、充填材型枠を含む工法は、しばしば、２つの型枠の間に閉ざされるべきスペースを要求する。一般的に、これは、鉄筋をスペースの中に設置し、隣接する型枠の鉄筋に連結し、そして、内側パネルおよび外側パネルでスペースを塞ぐことを含み得る。鉄筋が最初に設置され得、その後に、内側パネルおよび外側パネルで型枠が塞がれるというのが通常のケースであり得る。しかしながら、高層建築工法は、特別の状況を提示する。具体的には、地上から１階よりも上に位置する外壁は、実際には、建物内部からしかアクセスされ得ない。多くの従来のシステムは、内側パネルと外側パネルとの両方を同時に設置することを要求さえし得、それは、型枠の間のスペースに鉄筋を設置する機会を限定し得る。結局、従来の工法は、高層建設のこの局面に適合し得ない。
【０００９】
もう１つの問題は、型枠を支持するさらなる手法に関する。多くの手法は、支えの設置場所が重要となる特別な条件に適合しない。例えば、高層建設においては、地上から１階よりも上に位置される外壁の外側に支えを設けることは実際的であり得ない。結局、型枠の両側に設置される支えを要求する従来の手法は、高層建築の建設においては限定されたアプリケーションを有し得る。
【００１０】
充填材工法に関する先述した問題は、効果的な解決法への長い間の切実なニーズを表し得る。実現するための要素は利用可能であるが、このニーズに合せようとする実際の試みは、かなりの程度不足している。これは、当業者が、この問題の本質および内在する課題を十分に評価および理解しなかったからであり得る。この理解不足の結果として、これらの長い間の切実なニーズに合わせる試みは、ここに規定される１つ以上の問題および課題を効果的に解決し得なかった。これらの試みは、本発明によって採用される技術方針から遠去りすらし得、当分野の一部で採用されるアプローチからはある程度予想外の結果と考えられる本発明の完成の原因ですらあり得る。
【特許文献１】米国特許第６，５３０，５５３号明細書
【特許文献２】米国特許第４，０６８，４２７号明細書
【発明の開示】
【課題を解決するための手段】
【００１１】
（発明の開示）
従って、本発明は、モジュール式充填材形成連結組立品の設置システムを提供する。本発明の一部の実施形態は、クレーンのような空中運搬デバイスの使用により、特化したモジュール式充填材形成連結組立品を設置することを含み得る。本発明の他の実施形態は、空中運搬デバイスによる使用のための特化した型枠を事前組立することを含み得る。本発明のさらなる実施形態は、設置された型枠を支えるための方法および装置を含み得る。本発明のなおさらなる実施形態は、モジュール式充填材形成連結組立品の間に形成される、コーナーおよび他のタイプのスペースを塞ぐための方法および装置を含み得る。本発明の一部の実施形態は、事前組立された特化したモジュール式充填材形成連結組立品を、空中運搬装置を用いて設置および支えること、ならびに、それらが設置および支持された後に、そのような構造の間に形成されるコーナーおよび他のタイプのスペースを塞ぐことを含み得る。本発明のある実施形態は、高層建設プロジェクトのために特に有用であり得る。本発明の実施形態は、充填材型枠を利用する工法の時間およびコスト効率を向上させ得るケースとなり得る。
【００１２】
本発明の重要な目的は、充填材型枠設置の時間およびコストの効率を向上することであり得る。
【００１３】
この目的を保持しつつ、充填材型枠の設置のためのクレーンのような空中運搬デバイスを使用することの有効性を向上することが、本発明のゴールであり得る。
【００１４】
この目的をさらに保持しつつ、クレーンのような空中運搬デバイスを用いて事前組立された充填材型枠を使用することの有効性を向上することが、本発明のゴールであり得る。
【００１５】
この目的をさらに保持しつつ、クレーンのような空中運搬デバイスを使用し設置された型枠を支持することの有効性を向上することが、本発明のゴールであり得る。
【００１６】
この目的をさらに保持しつつ、充填材型枠を含む工法を使用するプロセスの部分であり得る、コーナーおよび他のタイプのスペースを塞ぐことの有効性を向上することが、本発明のゴールであり得る。
【００１７】
この目的をさらに保持しつつ、高層建設プロジェクトにおける充填材工法の使用を容易にすることが本発明のゴールであり得る。
【００１８】
当然ながら、本発明のさらなる目的およびゴールが、以下の記述および図面から明らかとなる。
【発明を実施するための最良の形態】
【００１９】
（本発明を実施するための形態）
先に述べたように、本発明は、様々な局面を含み、それは異なった方法で組み合わされ得る。以下の記述は、本発明の要素をリストしかつ一部の実施形態を記述することを提供する。これらの要素は、初期の実施形態を用いてリストされるが、それらは、任意の方法および任意の数で組み合わされてさらなる実施形態を作り得るということが理解されるべきである。様々に記述される例および好ましい実施形態は、本発明を、明示的に記述されたシステム、手法、およびアプリケーションのみに限定すると解釈されるべきではない。さらに、この記述は、任意の数の開示される要素を用い、各要素を単独で用い、および、全ての要素の任意かつ全ての異なる順列および組み合わせを用いる、全ての様々な実施形態、システム、手法、方法、デバイス、およびアプリケーションに関する記述および特許請求の範囲を支持しかつ包含するものとして理解されるべきである。従って、方法および装置は、本発明のある実施形態の中で、モジュール式充填材形成連結組立品の設置のために開示される。
【００２０】
主として図１を参照して、本発明の一部の実施形態においては、第１の型枠パネル１および第２の型枠パネル２は、実質的に向かい合い平行な姿勢で配列され得る。型枠パネルは、充填材を形にすることが可能な物体であり、その形は、少なくとも一部は、型枠の物理的な決定によって規定される。型枠パネルは、実質的に平らな表面を有し得、または曲面を含む平でない表面を有し得る。型枠が配列され得る平行な姿勢は、互いから実質的に等距離であるように配列される型枠パネルを含み得る。型枠パネルが実質的に互いに等距離である構成は、等距離直線、等距離曲線、等距離平面、等距離曲面、および同心球表面またはそれらの部分を含み得る。型枠パネルが配列され得る向かい合わせの方向は、互いに向かい合うように設置されるパネルを含み得る。パネルの寸法はパネルが使用され得る具体的なアプリケーションに依存して変化し得、そのアプリケーションは、鉛直軸が水平軸より長いパネルおよび水平軸が鉛直軸より長いパネルを含むということは、当業者によって容易に理解され得る。パネルがパネル内に、例えばそれに限定するものではないが、窓の開口または扉の開口を含む開口部を含み得るということもまた、当業者には理解され得る。
【００２１】
あるアプリケーションにおいては、型枠パネルは、絶縁型枠パネルであり得る。絶縁型枠パネルは絶縁特性を有する型枠パネルであり得、ある状況下では、絶縁材からなる型枠パネルを含み得る。そのような絶縁材は、発泡ポリスチレンまたは押出ポリスチレンを含み得、または、建物に絶縁特性を与えるために建設業界で一般的に使用される他の材料を含み得る。他のアプリケーションにおいては、型枠パネルが作られ得る材料は、絶縁特性に関係なく選択され得れる。そのような材料としては、木材、繊維、ポリマ、スチール、合金、エポキシ、またはプラスチック複合材を含み得る。
【００２２】
本発明のある実施形態は、スペース３を形成するように配列され得る第１の型枠パネル１および第２の型枠パネル２を含む。スペース３は、実質的に向かい合う平行な姿勢で配列される第１の型枠パネル１と第２の型枠パネル２との間に存在し得る。スペース３の幅は、パネルが使用されるアプリケーションに依存して変えられる。一部のアプリケーションにおいては、これは、充填材型枠パネル９のスペース３の中に充填材を流し込むことを含み得る。
【００２３】
第１の型枠パネル１および第２の型枠パネル２は、本発明のある実施形態においては、コネクションエレメント４によって連結され得る。コネクションエレメント４は、第１の型枠パネル１と第２の型枠パネル２との両方に連結されるエレメントであり得る。
【００２４】
一部の実施形態においては、コネクションエレメント４は、リジッドタイ５であり得る。これは、通常状態のときはその形を維持するタイのような、実質的に強固な単なるタイであり得る。リジッドタイ５は、第１の型枠パネル１と第２の型枠パネル２との間の間隔を維持もし得る。そのようなリジッドタイは、強固に間隔を維持するエレメントとして設置され得る。間隔の維持は、第１の型枠パネル１と第２の型枠パネル２との間のスペース３の幅を保持することを含み得る。
【００２５】
他のアプリケーションにおいては、コネクションエレメント４は、フレキシブルタイ８であり得る。これは、通常状態のときは実質的には変形可能であるタイのような、実質的に柔軟な単なるタイであり得る。一部の状況下では、実質的に変形可能なコネクションエレメントは、折りたたみタイ、ピボットタイ、弾性タイ、ワイヤタイ、単繊維タイ、摩擦表面タイ、またはフレキシブルメッシュタイを含み得る。折りたたみタイは、それ自身の上に折り重ねられる部分を有するタイであり得る。ピボットタイは、タイの２つ以上の部分がその周りを回転し得るポイントを有するタイであり得る。弾性タイは、伸張、圧縮、展張、または他の変形された後にその元の構成に復帰することが可能なタイである。ワイヤタイは、コード、ケーブル、または関連する構造として構成されるタイであり得る。単繊維タイは、１本の繊維要素からなるタイであり得る。摩擦表面タイは、２つの表面が、動きに抵抗する界面で接合されるタイであり得る。フレキシブルメッシュタイは、織り合わされたまたは連結された要素の実質的に柔軟な網目からできているタイであり得る。
【００２６】
フレキシブルタイ８は、第１の型枠パネル１と第２の型枠パネル２との間の間隔を維持もし得る。そのようなフレキシブルタイは、柔軟に間隔を維持するエレメントとして設置され得る。間隔の維持は、第１の型枠パネル１と第２の型枠パネル２との間のスペース３の幅を保持することを含み得る。スペース３の幅の保持は、第１の型枠パネル１または第２の型枠パネル２が、位置からはずれたり、スペース３の幅を変えることを防止するように、第１の型枠パネル１および第２の型枠パネル２をその位置に保持することを含み得る。
【００２７】
本発明の一部の実施形態においては、フレキシブルタイ８は、第１の型枠パネル１が第２の型枠パネル２に対して崩されるのを許すように適合させられもし得る。第１の型枠パネル１および第２の型枠パネル２を崩すことは、第１の型枠パネル１と第２の型枠パネル２との間のスペース３を実質的になくすように、第１の型枠パネル１および第２の型枠パネル２を実質的にコンタクトさせることを含み得る。第１の型枠パネル１および第２の型枠パネル２が崩されることを許すようにフレキシブルタイ８を適合させることは、第１の型枠パネル１および第２の型枠パネル２を実質的にコンタクトさせるように、実質的に変形するフレキシブルタイ８を含み得る。
【００２８】
本発明の他の実施形態においては、コネクションエレメント４は、アジャスタブルタイであり得る。アジャスタブルタイは、第１の型枠パネル１と第２の型枠パネル２との間のスペース３の幅を変えるために、その長さが調節され得るタイであり得る。アジャスタブルタイは、クリンプアジャスタブルタイであり得る。クリンプアジャスタブルタイは、タイの一部分またはおそらくは長さの一部さえもが、クリンピングまたはおそらくは変形することによって、その長さが調節され得るタイであり得る。タイの長さの少なくとも一部をクリンピングさせることは、多くの他のアレンジが可能であるが、タイの長さの少なくとも一部に少なくとも１つの折り目をつけることを含み得る。
【００２９】
本発明のある実施形態においては、補強部材６がスペース３内に設置され得る。補強部材６は、硬化体内に埋められることを意図される部材であり得、それは硬化体に強度を与えさえもし得る。一部のアプリケーションにおいては、補強部材６は、金属補強バー、すなわちおそらくは鉄筋であり得る。補強部材６は、スペース３の中に補強部材６を水平にまたは垂直に挿入することによって、スペース３の内部に設置され得る。補強部材６は、水平方向または垂直方向に設置もされ得る。補強部材６の水平方向は、第１の型枠パネル１および第２の型枠パネル２によって形成されるスペース３の頂部または底部に平行な方向であり得る。垂直方向は、第１の型枠パネル１および第２の型枠パネル２によって形成されるスペース３の左側または右側に平行な方向であり得る。補強部材６は、離れた位置、地面の位置、または設置位置でスペース３の内部に設置されもし得る。補強部材６は、モジュール式コンクリート形成構造１０がリフトされる前にスペース３の内部に設置されることもあり得る。これは、モジュール式充填材形成連結組立品１０がリフトされる前にスペース３の内部に補強部材６を設置することが、モジュール式充填材形成連結組立品１０がリフトされた後にモジュール式充填材形成連結組立品１０の位置でスペース３の内部に補強部材６を設置することから発生する大きな、時間、労力、困難を減らし得るからである。
【００３０】
一部の状況下においては、リジッドタイ５は、補強部材６に連結されるように適合され得る。補強部材６に連結されるようにリジッドタイ５を適合させることは、補強部材６を受けるようにリジッドタイ５を作ることを含み得る。リジッドタイ５は、クレードル７を含むように作られ得る。クレードル７は、ある程度まで補強部材６を受けかつその場に保持するように適合させられたリジッドタイ５の形状であり得る。
【００３１】
他の状況下では、フレキシブルタイ８は、補強部材６に連結されるように適合させられ得る。補強部材６に連結されるようにフレキシブルタイ８を適合させることは、張力状態でフレキシブルタイ８を設置するようにフレキシブルタイ８を展張することを含み得る。フレキシブルタイ８を展張することは、フレキシブルタイ８が連結され得る第１の型枠パネル１と第２の型枠パネル２との間のスペース３の幅を増すことによって達成し得る。フレキシブルタイ８を展張することによって経験される張力は、フレキシブルタイ８が一定の剛性を獲得することを可能にし得る。フレキシブルタイ８によって獲得された一定の剛性は、補強部材６をフレキシブルタイ８に連結するために十分なサポートを提供し得る。
【００３２】
補強部材６がコネクションエレメント４に接続されるということもあり得る。コネクションエレメント４に補強」エレメント６を接続することは、コネクションエレメント４に補強エレメント６を縛りつけることを含み得る。
【００３３】
本発明の一部の実施形態においては、充填材型枠９は、第１の型枠パネル１と第２の型枠パネル２との間のスペース３を有し、実質的に向かい合う平行な姿勢で配列された少なくとも１つの第１の型枠パネル１および第２の型枠パネル２、ならびに、少なくとも第１の型枠パネル１および第２の型枠パネル２に接続されたコネクションエレメント４を有することによって設置され得る。さらに、第１の型枠パネル１および第２の型枠パネル２は、それ自身がさらに多数のサブパネルを一緒に接続することによって、それら自身がさらに形成され得るということが、当業者によって理解され得る。
【００３４】
主として図２を参照して、本発明の一部の実施形態においては、モジュール化充填材形成連結組立品１０を作るために少なくとも２つの充填材型枠が接続され得る。一部のアプリケーションにおいては、モジュール化充填材形成連結組立品１０は、離れた場所で連結され得る。離れた場所は、地上用地および設置場所から遠く離れた、おそらくは工場サイトのような場所であり得る。工場サイトは、型枠パネルおよび充填材型枠が製造されるサイトである。離れた場所で接続されたモジュール化充填材形成連結組立品１０は、さらに、離れた場所から地上用地へ輸送され得る。地上用地は、モジュール化充填材形成連結組立品１０をリフトし、モジュール化充填材形成連結組立品１０を設置場所に運搬する前の、モジュール化充填材形成連結組立品１０の建築サイトの場所であり得る。建築サイトは、建物が建設されるサイトである。一部の状況下では、モジュール化充填材形成連結組立品１０は、地上用地、おそらくは建築サイトで接続され得る。
【００３５】
再び、主として図１を参照して、本発明のある実施形態においては、第１の充填材型枠１１は、第１のエッジ１２および第２のエッジ１３を有し得、第２の充填材型枠１４は、第３のエッジ１５および第４のエッジ１６を有し得る。一部のアプリケーションにおいては、第１のレール１７を第１のエッジ１２および第３のエッジ１５に接合することによって、第１の充填材型枠１１は、第２の充填材型枠１４に接続され得る。他のアプリケーションにおいては、第２のレール１８を第２のエッジ１３および第４のエッジ１６に接続することによって、第１の充填材型枠１１は、第２の充填材型枠１４に接続され得る。他の状況においては、該第１のレール１７を第１のクリップに置き換え、第２のクリップを第２のレール１８に置き換えることによって説明される方法で、第１の充填材型枠１１は、第２の充填材型枠１４に接続され得る。任意の形式の適切なファスナまたはコネクションエレメントが、第１の充填材型枠１１を第２の充填材型枠１４に接続するために使用され得ることが、当業者によって理解される。
【００３６】
再び、主として図２を参照すると、本発明のある実施形態は、第１の充填材型枠１１が第２の充填材型枠１４に接続され、第１の充填材型枠１１および第２の充填材型枠１４のスペース３の各々の連絡によって規定されるモジュール化充填材形成連結組立品１０の空洞１９を作ることを許し得る。
【００３７】
主として図３を参照すると、本発明の一部の実施形態においては、リフト固定エレメント２０が、モジュール化充填材形成連結組立品１０に設けられ得る。リフト固定エレメント２０は、モジュール化充填材形成連結組立品１０に、構造的または他のダメージを与えることなくリフト取付エレメント２２に連結され得る要素であり得る。一部のアプリケーションにおいては、リフト固定エレメント２０は、フック、とめ金具、リング、摩擦表面、溶接、タイ、ストラップ、メカニカルファスナ、またはコネクタであり得る。
【００３８】
他のアプリケーションにおいては、リフト固定エレメント２０は、補強部材６であり得る。補強部材６は、スペース３の中に、水平方向または垂直方向に設置され得る。補強エレメント６であり得るリフト固定エレメント２０は、リフト取付エレメント２２に連結するためにさらに適合され得る。リフト取付エレメント２２に連結するために補強部材６を適合さすことは、リフト取付エレメント２２への補強エレメント６の連結を容易にするような補強エレメント６の形状を形成することを含み得る。
【００３９】
本発明のある実施形態は、空中運搬デバイス２１を設置することを含み得る。空中運搬デバイス２１は、クレーン、エレベータ、リフト、滑車システム、飛行機、またはリフティングシステムであり得る。リフト取付エレメント２２が、空中運搬デバイス２１に設けられ得る。リフト取付エレメント２２は、リフト固定エレメント２０に連結され得る要素であり得る。一部のアプリケーションにおいては、リフト取付エレメント２２は、フック、とめ金具、クリンプ、リング、つかみ、摩擦表面、溶接、タイ、ストラップ、メカニカルファスナ、またはコネクタであり得る。他のアプリケーションにおいては、リフト取付エレメント２２は、補強部材６であるリフト固定エレメント２０に連結するために適合される。補強部材６に連結するためにリフト取付エレメント２２を適合さすことは、補強部材６へのリフト取付エレメント２２の連結を容易にするようなリフト取付エレメント２２の形状を形成することを含み得る。
【００４０】
本発明の一部の実施形態においては、一体性確保システムが、モジュール化充填材形成連結組立品に設置され得る。一体性確保システムは、モジュール化充填材形成連結組立品１０のリフトまたは運搬の間のモジュール化充填材形成連結組立品１０の構造的一体性を強化するためのシステムであり得る。構造的一体性の強化は、特に鉄筋を取り付けている場合にリフトや運搬によって生じ得る応力に、モジュール化充填材形成連結組立品１０がより良く耐え得るように、構造的一体性を強化することを含み得る。従って、少なくとも１つの強化エレメントが、モジュール化充填材形成連結組立品１０に設けられ得る。強化エレメントは、モジュール化充填材形成連結組立品１０の構造的一体性に、適切なまたはおそらくは単に大きな強度を与える要素であり得る。一部の状況下においては、強化エレメントは、モジュール化充填材形成連結組立品１０のコンポーネントに、リフト固定エレメント２０を接続する高強度ファスナであり得る。
【００４１】
もちろん、モジュール化充填材形成連結組立品１０は、中心４５を有し得る。一部の状況下では、リフト固定エレメント２０を位置決めする前に、モジュール化充填材形成連結組立品１０の中心４５が計算され得るということがあり得る。一部のアプリケーションにおいては、モジュール化充填材形成連結組立品１０の中心４５は、質量中心４５または図心４５であり得る。モジュール化充填材形成連結組立品１０の中心４５は、リフト軸をさらに有し得る。モジュール化充填材形成連結組立品１０の中心４５についてのリフト軸は、モジュール化充填材形成連結組立品１０がリフトされ得る方向に向けられる軸であり得る。一部の状況においては、モジュール化充填材形成連結組立品１０の中心４５についてのリフト軸は、実質的に、モジュール化充填材形成連結組立品１０の中心４５とモジュール化充填材形成連結組立品１０に設けられるリフト固定エレメント２０の位置との間の軸であり得る。他の状況においては、モジュール化充填材形成連結組立品１０の中心４５についてのリフト軸は、実質的に、モジュール化充填材形成連結組立品１０の中心４５と１つ以上のリフト固定エレメント２０のリフトベクトルの合力ベクトルの位置との間の軸であり得る。
【００４２】
少なくとも１つのリフト固定エレメント２０が、望ましい設置姿勢に関連して位置決めされ得るということがあり得、それは、モジュール化充填材形成連結組立品１０の中心４５についてのリフト軸であり得るおそらくは少なくともほぼ鉛直軸である。リフト固定エレメント２０の位置は、モジュール化充填材形成連結組立品１０の中心４５のリフト軸に関係付けて応変することによって、モジュール化充填材形成連結組立品１０の中心４５についてのリフト軸に関連させられ得る。一部の状況下においては、少なくとも１つのリフト固定エレメント２０が、モジュール化充填材形成連結組立品１０の中心４５についてのリフト軸に対して対称に設置されることによって、モジュール化充填材形成連結組立品１０の中心４５のリフト軸に関係付けて応変し得るということがあり得る。そのようなリフト固定エレメント２０は、リフト軸に対して重さが対称なリフト固定エレメントとして設けられ得る。
【００４３】
本発明のある実施形態においては、モジュール化充填材形成連結組立品１０は、地上用地で構築され得る。地上用地のモジュール化充填材形成連結組立品１０は、地上用地のモジュール化充填材形成連結組立品の姿勢に応じた地上姿勢を有し得る。モジュール化充填材形成連結組立品１０の地上姿勢は、モジュール化充填材形成連結組立品１０の空中姿勢に実質的に一致して定め得る。モジュール化充填材形成連結組立品１０の空中姿勢は、空中運搬デバイス２１によるモジュール化充填材形成連結組立品１０の運搬の間のモジュール化充填材形成連結組立品１０の姿勢に対応し得る。地上姿勢が空中姿勢に実質的に一致するということは、地上姿勢が空中姿勢と実質的に同じであるといい得る。
【００４４】
本発明の一部の実施形態においては、モジュール化充填材形成連結組立品１０は、モジュール化充填材形成連結組立品１０の地上用地からリフトされ得る。モジュール化充填材形成連結組立品１０をリフトすることは、地上用地の静置面から、モジュール化充填材形成連結組立品１０を移動することを含み得る。モジュール化充填材形成連結組立品１０は、モジュール化充填材形成連結組立品１０の中心４５についてのリフト軸の方向にリフトされ得る。モジュール化充填材形成連結組立品のリフトは、モジュール化充填材形成連結組立品１０に設けられる少なくとも１つのリフト固定エレメント２０を、空中運搬デバイス２１の少なくとも１つリフト取付エレメント２２に連結し、そして、モジュール化充填材形成連結組立品１０をリフトするように空中運搬デバイス２１を使用することによって成し遂げられ得る。
【００４５】
主として図４を参照すると、本発明の一部の実施形態においては、モジュール化充填材形成連結組立品１０は、モジュール化充填材形成連結組立品１０の地上用地からモジュール化充填材形成連結組立品１０の設置場所に運搬され得る。モジュール化充填材形成連結組立品１０の設置場所は、モジュール化充填材形成連結組立品１０が、使用のために設置される場所であり得る。一部のアプリケーションにおいては、モジュール化充填材形成連結組立品１０の設置場所は、モジュール化充填材形成連結組立品１０の充填材を流し込むサイトを含み得る。モジュール化充填材形成連結組立品１０の充填材を流し込むサイトは、モジュール化充填材形成連結組立品１０の少なくとも１つの充填材型枠９の少なくとも１つのスペース３の中に、充填材が流し込まれるサイトであり得る。モジュール化充填材形成連結組立品１０の充填材を流し込むサイトは、モジュール化充填材形成連結組立品１０の高層での充填材を流し込むサイトであり得る。モジュール化充填材形成連結組立品１０の高層での充填材を流し込むサイトは、モジュール化充填材形成連結組立品１０の地上用地のレベルより少なくとも１階は上である場所に置かれる流し込みのサイトであり得る。
【００４６】
モジュール化充填材形成連結組立品１０を運搬することは、モジュール化充填材形成連結組立品１０に設けられたリフト固定エレメント２０が、空中運搬デバイス２１のリフト取付エレメント２２に連結される間に、空中姿勢で、モジュール化充填材形成連結組立品１０を運搬することを含み得る。一部のアプリケーションにおいては、モジュール化充填材形成連結組立品１０の空中姿勢は、モジュール化充填材形成連結組立品１０に設けられたリフト固定エレメント２０が、空中運搬デバイス２１のリフト取付エレメント２２に連結される間に、モジュール化充填材形成連結組立品１０の設置姿勢に実質的に一致するようにさらに定め、または調節すらされ得る。モジュール化充填材形成連結組立品１０の設置姿勢は、モジュール化充填材設置構造１０が設置される姿勢であり得る。空中姿勢が設置姿勢に実質的に一致するということは、空中姿勢が設置姿勢と実質的に同じであるといい得る。
【００４７】
本発明のある実施形態においては、モジュール化充填材形成連結組立品１０は、設置場所に設置され得る。モジュール化充填材形成連結組立品１０を設置することは、モジュール化充填材形成連結組立品１０に設けられるリフト固定エレメントが、空中運搬デバイス２１のリフト取付エレメント２２に連結されている間であって、かつ、モジュール化充填材形成連結組立品１０が、設置姿勢であるときに生じる。モジュール化充填材形成連結組立品１０を設置することは、該設置場所で、モジュール化充填材形成連結組立品１０を少なくとも１つの充填材型枠９に結合することをさらに含み得る。モジュール化充填材形成連結組立品１０に設けられるリフト固定エレメント２０は、モジュール化充填材形成連結組立品１０が設置された後に、空中運搬デバイス２１のリフト取付エレメント２２から外され得る。
【００４８】
主として、図５および図６を参照すると、本発明の一部の実施形態においては、ブレース付属エレメント２３が、モジュール化充填材形成連結組立品１０に付けられる。一部のアプリケーションにおいては、ブレース付属エレメント２３は、モジュール化充填材形成連結組立品１０に永久的に接合され得る。他のアプリケーションにおいては、ブレース付属エレメント２３は、モジュール化充填材形成連結組立品１０に一時的に接合され得る。
【００４９】
本発明のある実施形態においては、ブレース付属エレメント２３は、連続的に位置変更可能なところで、モジュール化充填材形成連結組立品１０に付けられ得る。連続的に位置変更可能なところは、その位置が不連続な移動を必要とせずに任意の位置増分で動かされおそらくはそこに固定される、場所であり得る。露出レール２４は、モジュール化充填材形成連結組立品１０に接続され得、ブレース付属エレメント２３は、露出レール２４のスライドする係合として構成され得る。そのようなブレース付属エレメント２３は、スライド係合のブレース付属エレメントとして設けられ得る。ブレース付属エレメント２３に穴が設けられ得、それを通してロックエレメント２６が付けられ得る。穴を通して付けられるロックエレメント２６は、露出レール２４の特定位置に、ブレース付属エレメント２３を固定するように働き得る。ロックエレメント２６は、スクリューねじであり得る。スクリューねじであり得るロックエレメント２６は、セルフタッピングのスクリューねじであり得る。一部の状況では、ブレース付属エレメント２３は、露出レール２４に埋め込まれるセルフタッピングのスクリューねじによって、定位置に固定される。セルフタッピングのスクリューねじは、露出レール２４および第１の型枠パネル１を貫通し、第２の型枠パネル２に自身を埋め込む。
【００５０】
一部のアプリケーションにおいては、ブレース２７は、ブレース付属エレメント２３に取り付けられ得る。ブレース２７は、キッカー２９であり得る。一部の状況下では、ブレース２７は、ピボットポイント２８を介してブレース付属エレメント２３に取り付けられ得る。ブレース２７は、アンカー場所にアンカーもされ得る。本発明の一部の実施形態においては、アンカー場所にブレース２７をアンカーした後に、ブレース付属エレメント２３は、モジュール化充填材形成連結組立品１０に設けられる所望の場所に連続的に位置換えされ得、所望の位置にロックエレメント２６を使用して固定され得る。所望の場所は、モジュール化充填材形成連結組立品１０が鉛直位置であり得る場所であり得る。アンカー場所にアンカーされ所望の位置に固定されたブレース付属エレメント２３に取り付けられたブレース２７が、モジュール化充填材形成連結組立品１０を支持し得る。
【００５１】
本発明の一部の実施形態においては、ブレース付属エレメント２３は、すばやく配備され得る。ブレース付属エレメント２３の配備は、ブレース付属エレメント２３を、所望の場所に連続的に位置換えすることおよびブレース付属エレメント２３を、所望の場所の定位置に固定することを含み得る。一部のアプリケーションにおいては、配備は、所望の場所の定位置に、スクリューねじを使用してブレース付属２３を固定することを含み得る。ブレース付属エレメント２３のすばやい配備は、約９０秒、約２分、約３分、約５分または約１０分から成るグループのうちから選択され得る期間内にブレース付属エレメント２３を配備することを含み得る。
【００５２】
主として図７を参照すると、囲い場所３１が設けられ得るということを知り得る。少なくとも２つの充填材型枠９が、囲い場所３１に隣合って設置され得る。各充填材型枠９は、外側パネル４１、内側パネル４２、および外側パネル４１と内側パネル４２との間に形成されるスペース３を有し得る。補強部材６は、各充填材型枠９のスペース３の内部に取り付けられる。
【００５３】
本発明のある実施形態においては、囲い場所３１は、囲い場所３１に隣合って設置される少なくとも２つの充填材型枠９の間に設けられる同列上の開口３２であり得る。そのような同列上の開口は、建設業アプリケーションにおいて必要または望ましいものであり得る、扉、窓、または別のタイプの開口を含み得るということが、当業者によって容易に理解され得る。少なくとも２つの充填材型枠９の間に設けられる同列上の開口３２は、約１フィート、約２フィート、約５フィート、または約１５フィートから成るグループのうちから選択される幅を有し得る。本発明の他の実施形態においては、囲い場所３１は、囲い場所３１に隣合って設置される少なくとも２つの充填材型枠９の間に設けられるコーナーの開口３３であり得る。そのようなコーナーの開口は、建設業アプリケーションにおいて必要または望ましいものであり得る、扉、窓、または別のタイプの開口を含み得るということが、当業者によって容易に理解され得る。少なくとも２つの充填材型枠９の間に設けられるコーナーの開口３３は、約１フィート、約２フィート、約５フィート、または約１５フィートから成るグループのうちから選択される幅を有し得る。囲い場所３１は、充填材を流し込むサイトであり得る。充填材を流し込むサイトである囲い場所３１は、高層の充填材を流し込むサイトであり得る。
【００５４】
本発明の一部の実施形態においては、外側の囲い型枠パネル３４、内側の囲い型枠パネル３５、および囲い補強部材３６は、囲い場所３１に運搬され得る。囲い場所３１は、外側囲い境界３７、内側囲い境界３８、および囲いスペース３９を有し得る。囲いスペース３９は、外側囲い境界３７と内側囲い境界３８との間に形成されるスペースであり得る。外側囲い境界３７は、外側の囲い型枠パネル３４が、囲い場所３１を囲うためにほぼ位置される必要があり得る境界であり得る。一部のアプリケーションにおいては、外側囲い境界は、斜めに交叉する２つの直線を含むように構成され得る。一部の状況下では、外側囲い型枠パネル３４は、各隣合う充填材型枠９の各外側パネルと接続されることによって囲い場所３１を囲い得る。内側囲い境界３８は、内側の囲い型枠パネル３５が、囲い場所３１を囲うためにほぼ位置されるべき必要があり得る境界であり得る。一部のアプリケーションにおいては、内側囲い境界は、ある角度で交わる２つの直線を含むように構成され得る。一部の状況下では、内側囲い型枠パネル３５は、各隣合う充填材型枠９の各内側パネルと接続されることによって囲い場所３１を囲い得る。
【００５５】
主として図８を参照すると、本発明の一部の実施形態においては、外側囲い型枠パネル３４は、囲い場所３１の外側囲い境界３７に実質的に一致するように方向付けられ得る。外側囲い型枠パネル３４の方向が、外側コーナー境界３７に実質的に一致するということは、外側囲い型枠パネル３４の方向が、外側コーナー境界３７に実質的に同じであり得るということである。一部の状況においては、外側囲い型枠パネル３４は、その後、実質的に外側囲い境界３７に位置決めされ得る。他の状況においては、モジュール化充填材形成連結組立品１０が、囲い場所３１のいずれかの側に設置された後に、外側囲い型枠パネル３４は、実質的に外側囲い境界３７に位置決めされる。さらなる状況においては、外側囲い型枠パネル３４は、内側方向４３から実質的に外側囲い境界３７に位置決めされる。内側方向４３は、内側囲い型枠パネル３５が設置され、外部サポートを必要とせずにアクセスできる、囲い場所３１の片側に対応する方向であり得る。
【００５６】
一部のアプリケーションにおいては、リフト固定エレメント２０が、外側囲い型枠パネル３４に設けられ得る。外側囲い型枠パネル３４に設けられるリフト固定エレメント２０は、空中運搬デバイス２１のリフト取付エレメント２２に接続され得る。その後、実質的に外側囲い境界３７に位置決めされ得る外側囲い型枠パネル３４は、リフト固定エレメント２０が、リフト取付エレメント２２に接続されている間に、位置決めされ得る。
【００５７】
主として図９を参照すると、本発明の一部の実施形態においては、囲い補強部材３６は、囲いスペース３９内に収まるように方向付けられる。囲い補強部材３６は、その後、囲いスペース３９の内部に設置され得る。一部の状況下では、囲い補強部材３６は、外側コーナー型枠パネル３４が、実質的に外側囲い境界３７に位置決めされた後に、囲いスペース３９の内部に設置される。リフト固定エレメント２０は、囲い補強部材３６に設けられ得もする。囲い補強部材３６に設けられるリフト固定エレメント２０は、空中運搬デバイス２１のリフト取付エレメント２２に接続され得る。その後、囲いスペース３９の内部に取り付けられ得る囲い補強部材３６は、リフト固定エレメント２０がリフト取付エレメント２２に接続されている間に、設置され得る。
【００５８】
本発明のある実施形態においては、囲い補強部材３６は、充填材型枠９のスペース３の内部に設置される補強部材６に接続され得る。補強部材６に接続される囲い補強部材３６は、補強部材６に縛り付けられ得る４４。囲い補強部材３６は、金属補強バーであり得る。一部の状況においては、囲い補強部材３６は、囲いスペース３９で、水平方向または鉛直方向に方向付けられ得る。
【００５９】
主として図１０を参照すると、本発明の一部の実施形態においては、内側囲い型枠パネル３５は、囲い場所３１の内側囲い境界３８に実質的に一致するように方向付けられ得る。内側囲い型枠パネル３５の方向が、内側コーナー境界３８に実質的に一致するということは、内側囲い型枠パネル３５の方向が内側コーナー境界３８に実質的に同じであり得るということである。一部のアプリケーションにおいては、内側囲い型枠パネル３５は、その後、内側コーナー境界３８に位置決めされ得る。他のアプリケーションにおいては、囲い補強部材３６が囲いスペース３９内に設置され得た後に、内側囲い型枠パネル３５が、実質的に内側コーナー境界３８に位置決めされ得る。リフト固定エレメント２０は、内側囲い型枠パネル３５に設けられ得もする。内側囲い型枠パネル３５に設けられるリフト固定エレメント２０は、空中運搬デバイス２１のリフト取付エレメント２２に接続され得る。その後、実質的に内側囲い境界３８に位置決めされる内側囲い型枠パネル３５は、リフト固定エレメント２０がリフト取付エレメント２２に接続されている間に、位置決めされ得る。
【００６０】
本発明の一部の実施形態においては、囲いコネクションエレメントが、外側コーナー型枠パネル３４と内側囲い型枠パネル３５との両方に接続され得る。囲いコネクションエレメントは、コーナー場所３１において利用されるコネクションエレメント４であり得る。一部のアプリケーションにおいては、外側コーナー型枠パネル３４は、内側囲い型枠パネル３５によって実質的に支えられ得る。内側囲い型枠パネル３５によって実質的に支えられる外側コーナー型枠パネル３４は、外側コーナー型枠パネル３４と内側囲い型枠パネル３５との両方への囲いコネクションエレメントのつなぎによって、実質的に支えられ得る。
【００６１】
図１〜図１０を参照すると、本発明の一部の実施形態においては、充填材は、モジュール化充填材形成連結組立品１０の少なくとも１つの充填材型枠９の少なくとも１つのスペース３の中に、流し込まれ得る。充填材は、実質的に、硬化体へと硬化することが可能な流動充填材であり得る。一部のアプリケーションにおいては、硬化体へと硬化することが可能な流動充填材はコンクリートであり得る。モジュール化充填材形成連結組立品１０の少なくとも１つの充填材型枠９の少なくとも１つのスペース３の中に流し込まれる充填材は、モジュール化充填材形成連結組立品によって規定される形状に形成される。一部のアプリケーションにおいては、実質的に充填材からなる硬化体は壁であり得る。それは、モジュール化充填材形成連結組立品１０が、充填材が硬化した後に硬化体から取り除かれ得る場合であり得る。少なくとも１つのコンポーネントとして硬化体を有する建築構造物が、作られ得る。建築構造物は、ビル、塔、大建築物、モニュメント、または、住居用、商業用もしくは工業用の構造物を含み得る。
【００６２】
これまでの記述から容易に理解され得るように、本発明の基本的概念が様々な方法で具現化され得る。それは、モジュール化充填材形成連結組立品の設置手法と、モジュール化充填材形成連結組立品の適切な設置を完遂するためのデバイスとの両方を含む。このアプリケーションにおいては、モジュール化充填材形成連結組立品の設置手法は、記述される様々なデバイスによって達成されることが示された結果の一部として、および、利用に際して本来備わっているステップとして開示されている。それらは、意図され記述されるようにデバイスを利用することの当然な結果にすぎない。さらに、一部のデバイスが開示されているが、これらは特定の方法を達成するだけでなく、多くの方法に変わり得ることが理解されるべきである。重要なことは、これまでの全て、その内容の全てがここでの開示によって包含されるものと理解されるべきである。
【００６３】
本出願に含まれる議論は基本的な説明として役立つように意図されている。特定の議論は可能な全ての実施形態を明示的に記述し得ず、多くの代替案が潜在し得るということを承知すべきである。それはまた、本発明の包括的本質を十分には説明し得ず、かつ、特徴または要素の各々が、広範な機能または多種多様の代替もしくは均等の要素をどの程度まで実際に表し得るかを明示的には示し得ない。かさねて、これらは本開示の中に暗黙的に含まれている。本発明がデバイス指向の用語で記述される場合には、デバイスの各要素は、暗黙的に機能に代わるものである。
【００６４】
様々な変更が本発明の本質を逸脱することなく為され得ることが理解されるべきである。そのような変更は記述の中に暗に含まれてもいる。それらはなお本発明の範囲内にある。明示された実施形態、多種多様な暗黙の代替的実施形態と、広範な方法もしくはプロセスなどとの両方を包含する広範な開示は、この開示により包含される。この理解により、本開示が、出願人の権利と、個々と全体的なシステムとしてとの両方において本発明の数々の局面にわたる特許権との範囲内で、特許請求の範囲を考え得る限り広く支持するように理解されることに注意すべきである。
【００６５】
さらに、本発明の様々な要素の各々および特許請求の範囲は、様々な態様で達成されもし得る。さらに、使用されまたは意味される場合には、要素は、単独であると共に、物理的に連結され得るまたはされ得ない、複数の構造を包含するものとして理解されるべきである。この開示は、バリエーションの各々を、それが、任意の装置の実施形態、方法もしくはプロセスの実施形態である実施形態のバリエーション、または、単なるこれらの任意の要素のバリエーションであっても、包含すると理解されるべきである。特に、本開示が本発明の要素に関するときは、要素の各々についての用語は、たとえ機能または効果だけが同じである場合であっても、均等な装置の用語または方法の用語によって説明され得るということが理解されるべきである。そのような均等、より広範、またはより包括的な用語は、要素または作用の各々の記述の中に包含されると考えるべきである。そのような用語は、求められる場合には、この発明が権利を付与される黙示的に広範な対象を明示するように置換され得る。ほんの一例として、全ての作用は、その作用を獲得する手段として、または、その作用を生じる要素として説明され得るということが理解されるべきである。同様に、開示される各物理的要素は、その物理的要素が促進する作用の開示を包含するように理解されるべきである。この最後の局面に関して、ほんの一例として、「空中運搬デバイス」の開示は、明示的な議論の有無にかかわらず、「空中運搬」の作用の開示を包含するものとして理解されるべきであり、そして、反対に、「空中運搬」の作用の開示が有効である場合には、そのような開示は、「空中運搬デバイス」および「空中運搬の手段」をもの開示を包含するものとして理解されるべきである。そのような変更および代替の用語は、記述の中に明示的に含まれるように理解されるべきである。
【００６６】
この特許出願において述べられる全ての特許、公開、または他の参考文献は、本明細書において、参考として援用される。さらに、用語については、この出願におけるその使用法がその解釈に矛盾しない限りにおいては、共通の辞書の定義が、各用語に対して援用されると理解されるべきであり、Ｒａｎｄｏｍ  Ｈｏｕｓｅ  Ｗｅｂｓｔｅｒ’ｓ  Ｕｎａｂｒｉｄｇｅｄ  Ｄｉｃｔｉｏｎａｒｙ第２版に含まれるような、全ての定義、代替の用語および同義語が援用されるということが理解されるべきである。最後に、本特許出願または該出願と共にファイルされた情報の記述に従って参考として援用される参考文献のリストに記載される全ての参考文献の記述は、本明細書に添付され、本明細書によって参考として援用される。しかしながら、それら参考文献の各々については、参考として援用されるそのような情報または記述が、本発明の特許取得に相反すると考え得る範囲においては、明らかに、そのような記述が、本出願人によって為されていると考えられるべきでは
ない。
【００６７】
【表１】
2008506869.tif 000003
【００６８】
【表２】
2008506869.tif 000004
【００６９】
【表３】
2008506869.tif 000005
【００７０】
【表４】
2008506869.tif 000006
。
【００７１】
従って、出願人は、特許請求の範囲を支持し、少なくとも以下の点において発明を記述するものと理解されるべきである：ｉ）本明細書において開示および記述されるモジュール式充填材形成連結組立品デバイスの各々、ｉｉ）開示および記述される関係する方法、ｉｉｉ）これらデバイスおよび方法の各々の同類、均等、および暗黙のバリエーション、ｉｖ）開示および記述されるような機能の各々を達成するそれらの代替的設計、ｖ）開示および記述されるものを暗黙的に達成するとみられる機能の各々を達成する代替の設計および方法、ｖｉ）別個および独立した発明として示される特徴、コンポーネント、およびステップの各々、ｖｉｉ）開示される様々なシステムまたはコンポーネントによって促進されるアプリケーションｖｉｉｉ）そのようなシステムまたはコンポーネントによって製造される最終製品、ｉｘ）現在、言及されるなんらかの特定の分野またはデバイスに適用されるとして示されもしくは記述されるシステム、方法、および要素の各々、ｘ）実質的に上述されるような、および、何らかの付随する事例に関連する方法および装置、ｘｉ）開示される要素の各々の様々な組み合わせおよび順列、ｘｉｉ）提示される独立の請求項または概念の１つ１つに従属するような可能性のある従属の請求項または概念の各々。
【００７２】
審査のためにここでまたは後に提示される請求項に関して、実務的理由および多大な審査の負担を避けるために、出願人は、常に、初期請求項（ｉｎｉｔｉａｌ  ｃｌａｉｍ）だけ、または初期従属請求項（ｉｎｉｔｉａｌ  ｄｅｐｅｎｄｅｎｃｙ）だけを伴う初期請求項だけを提示し得るということが理解されるべきである。ある独立請求項または概念の下位に提示された様々な従属請求項または他の要素のうちの任意のものを、任意の他の独立請求項または概念の下位の独立請求項または要素として追加することを許容するために、新規事項追加禁止規定（それに限定するものではないが、欧州特許条約第１２３（２）条および米国特許法３５ＵＳＣ１３２または他のそのような法律）の下で、要求れる程度までは、サポートが存在することが理解されるべきである。本出願であるかまたはなんらかの後の出願であるかを問わず常に、あらゆる請求項の起草において、出願人が法律的に可能な限り十分かつ広い請求範囲を得ようと意図することも理解されるべきである。出願人が、単に全ての結果を予期し得なかったからといって、実体のない置換がなされているとまで、なんらかの特定の実施形態を文言上包含するがためのなんらかの請求項を出願人が実際には起草していないとまで、また、他の方法が適用可能であるとまで、出願人が何らかの方法で企図したまたは実際にはその請求範囲を放棄したと理解されるべきではなく、また、当業者は、そのような代替の実施形態を文言上包含するであろう請求項を起草していたと当然に期待されるべきではない。
【００７３】
さらに、それが使用された場合には、暫定的な言い回し「包含する、または、備える（ｃｏｍｐｒｉｓｉｎｇ）」の使用は、伝統的な請求項の解釈に従って、「追加設定型」請求項であることを主張するために使用される。従って、文脈が別なふうに要求するのでなければ、用語「ｃｏｍｐｒｉｓｅ」、または「ｃｏｍｐｒｉｓｅｓ」および「ｃｏｍｐｒｉｓｉｎｇ」のようなバリエーションは、記載される要素またはステップまたは要素もしくはステップのグループを含むことを意味するが、任意の他の要素またはステップまたは要素もしくはステップのグループを除外することを意図するものではないと理解されるべきである。そのような用語は、法律的に許され得る最も広い請求範囲を出願人に許すように、その最も拡張的な形で解釈されるべきである。
【００７４】
最後に、時を選ばず陳述された全ての請求項は、本明細書において、本発明の本記述の一部として、参考として援用され、出願人は、任意のまたは全てのその請求項または任意の要素もしくはコンポーネントを支持するための追加の記述として、その請求項のその援用される内容の全てまたは一部を使用する権利を明示的に留保する。出願人は、さらに、本出願によって、または、そのなんらかの、後の継続、分割、もしくは部分継続の出願によって保護が求められる事項を規定するために必要なとき、または、準拠する料金の削減、何らかの利益を得るために、または、特許法、規則もしくはなんらかの国または条約の規則に従うために、その請求項または任意の要素もしくはコンポーネントの援用される内容の任意の部分または全てを、本記述から請求項へまたはその反対へ移す権利を明示的に留保する。参考として援用されるその内容は、そのあらゆる後の継続、分割、もしくは部分継続の出願またはそのあらゆる再提出もしくは拡張を含む本出願の全継続期間にわたり存続する。
【図面の簡単な説明】
【００７５】
【図１】図１は、２つの充填材型枠の透視図を示す。
【図２】図２は、モジュール式充填材形成連結組立品を作るために連結された２つの充填材型枠の透視図を示す。
【図３】図３は、空中運搬デバイスに取り付けられたモジュール式充填材形成連結組立品の透視図を示す。
【図４】図４は、空中運搬デバイスにつながれるた状態で設置されるモジュール式充填材形成連結組立品の透視図を示す。
【図５】図５は、モジュール式充填材形成連結組立品に接合されるブレース付属エレメントの平面図を示す。
【図６】図６は、モジュール式充填材形成連結組立品に接合されるブレース付属エレメントの断面図を示す。
【図７】図７は、設置されたモジュール式充填材形成連結組立品の間に形成される２つの囲い場所の透視図を示す。
【図８】図８は、２つの囲い場所に設置された２つの外側囲い型枠パネルの透視図を示す。
【図９】図９は、２つの囲いスペースに設置された２つの囲い補強部材の透視図である。
【図１０】図１０は、２つのモジュール式充填材形成連結組立品の間に設置された２つの内側囲い型枠パネルの透視図を示す。
【図１】
2008506869.tif 000007
【図２】
2008506869.tif 000008
【図３】
2008506869.tif 000009
【図４】
2008506869.tif 000010
【図５】
2008506869.tif 000011
【図６】
2008506869.tif 000012
【図７】
2008506869.tif 000013
【図８】
2008506869.tif 000014
【図９】
2008506869.tif 000015
【図１０】
2008506869.tif 000016
【国際調査報告】
2008506869.tif 000017